(57)【要約】本出願の実施形態は、ＲＲＵの外部および内部の測位デバイスを付加することなく既存のネットワーク要素デバイスを使用することによってＲＲＵを測位するためのＲＲＵ測位方法およびその関連した装置を開示し、それによってＲＲＵ測位コストを低減する。本出願の実施形態における方法は、第１のＲＲＵによって、第２のＲＲＵによって送信された第１の参照信号を受信するステップであって、第１のＲＲＵは、測位対象ＲＲＵであり、第２のＲＲＵは、既知のロケーションにおけるＲＲＵである、ステップと、第１のＲＲＵによって、第１の参照信号に基づいて第１の遅延値を決定するステップと、第１のＲＲＵによって、第１の遅延値を上位レイヤネットワーク要素に報告し、それによって上位レイヤネットワーク要素は、第１の遅延値に基づいてロケーション解決処理を実行して、ロケーションを入手するステップとを含む。
2021502761.tif 000002
【特許請求の範囲】
【請求項１】
リモートラジオユニットＲＲＵ測位方法であって、
第１のＲＲＵによって、第２のＲＲＵによって送信された第１の参照信号を受信するステップであって、前記第１のＲＲＵは、測位対象ＲＲＵであり、前記第２のＲＲＵは、既知のロケーションにおけるＲＲＵである、ステップと、
前記第１のＲＲＵによって、前記第１の参照信号に基づいて第１の遅延値を決定するステップと、
前記第１のＲＲＵによって、前記第１の遅延値を上位レイヤネットワーク要素に報告し、それによって前記上位レイヤネットワーク要素は、前記第１の遅延値に基づいてロケーション解決処理を実行して、前記第１のＲＲＵのロケーション情報を入手するステップとを含むリモートラジオユニットＲＲＵ測位方法。
【請求項２】
第１のＲＲＵによって、第２のＲＲＵによって送信された参照信号を受信する前記ステップの前に、
前記第１のＲＲＵによって、ガードピリオドＧＰにおいて第２の参照信号を前記第２のＲＲＵへ送信し、それによって前記第２のＲＲＵは、前記第２の参照信号に基づいて第２の遅延値を計算し、前記第２の遅延値を前記第１の参照信号に付加するステップをさらに含む請求項１に記載の方法。
【請求項３】
前記第１のＲＲＵによって、前記第１の参照信号に基づいて第１の遅延値を決定する前記ステップは、
前記第１のＲＲＵによって、前記第１の参照信号に基づいて第３の遅延値を計算するステップと、
前記第１のＲＲＵによって、前記第２の遅延値および前記第３の遅延値に基づいて前記第１の遅延値を計算するステップとを含む請求項２に記載の方法。
【請求項４】
前記第１のＲＲＵによって、前記第２の遅延値および前記第３の遅延値に基づいて前記第１の遅延値を計算する前記ステップは、
Ａ＝（Ｂ＋Ｃ）／２
という様式で前記第１の遅延値を計算するステップを含み、
Ａは、前記第１の遅延値であり、
Ｂは、前記第２の遅延値であり、
Ｃは、前記第３の遅延値である請求項３に記載の方法。
【請求項５】
第１のＲＲＵによって、第２のＲＲＵによって送信された第１の参照信号を受信する前記ステップの後に、
前記第１のＲＲＵによって、前記第１の参照信号に基づいて方位角を計算するステップと、
前記第１のＲＲＵによって、前記方位角を前記上位レイヤネットワーク要素に報告し、それによって前記上位レイヤネットワーク要素は、前記第１の遅延値および前記方位角に基づいてロケーション解決処理を実行して、前記第１のＲＲＵの前記ロケーション情報を入手するステップとをさらに含む請求項１に記載の方法。
【請求項６】
第１のＲＲＵによって、第２のＲＲＵによって送信された第１の参照信号を受信する前記ステップの前に、
前記第１のＲＲＵによって、フレームオフセット命令を受信するステップであって、前記フレームオフセット命令は、前記第２のＲＲＵのダウンリンクウィンドウに対応するように前記第１のＲＲＵのアップリンクウィンドウに指示する、ステップをさらに含む請求項１に記載の方法。
【請求項７】
前記第１の参照信号は、特徴シーケンス信号、プライマリー同期信号ＰＳＳ、セカンダリー同期信号ＳＳＳ、セル固有参照信号ＣＲＳ、および／または測位パイロット信号を含む請求項１乃至６のいずれか一項に記載の方法。
【請求項８】
リモートラジオユニットＲＲＵ測位方法であって、
第２のＲＲＵによって、第１のＲＲＵによって送信された第２の参照信号を受信するステップであって、前記第１のＲＲＵは、測位対象ＲＲＵであり、前記第２のＲＲＵは、既知のロケーションにおけるＲＲＵである、ステップと、
前記第２のＲＲＵによって、前記第２の参照信号に基づいてシーケンス検知強度および第２の遅延値を計算するステップと、
前記第２のＲＲＵによって、第１の参照信号を前記第１のＲＲＵへ送信するために、前記検知強度がしきい値よりも大きいセルを選択するステップであって、前記第１の参照信号は、前記第２の遅延値を搬送し、それによって前記第１のＲＲＵは、前記第１の参照信号に基づいて第１の遅延値を決定し、前記第１の遅延値を上位レイヤネットワーク要素に報告し、前記上位レイヤネットワーク要素は、前記第１の遅延値に基づいてロケーション解決処理を実行して、前記第１のＲＲＵのロケーション情報を入手する、ステップとを含むリモートラジオユニットＲＲＵ測位方法。
【請求項９】
第２のＲＲＵによって、第１のＲＲＵによって送信された第２の参照信号を受信する前記ステップの後に、
前記第２のＲＲＵによって、前記第２の参照信号に基づいて方位角を計算するステップをさらに含む請求項８に記載の方法。
【請求項１０】
第２のＲＲＵによって、第１のＲＲＵによって送信された第２の参照信号を受信する前記ステップの前に、
前記第２のＲＲＵによって、検知命令を受信するステップであって、前記検知命令は、前記第１のＲＲＵまたは前記上位レイヤネットワーク要素によって送信され、前記検知命令は、信号検知に備えるように前記第２のＲＲＵに指示するために使用される、ステップをさらに含む請求項８または９に記載の方法。
【請求項１１】
リモートラジオユニットＲＲＵ測位方法であって、
上位レイヤネットワーク要素によって、第１のＲＲＵによって送信された第１の遅延値を受信するステップであって、前記第１のＲＲＵは、測位対象ＲＲＵである、ステップと、
前記上位レイヤネットワーク要素によって、前記第１の遅延値に基づいてロケーション解決処理を実行して、前記第１のＲＲＵのロケーション情報を入手するステップとを含むリモートラジオユニットＲＲＵ測位方法。
【請求項１２】
前記上位レイヤネットワーク要素によって、前記第１の遅延値に基づいてロケーション解決処理を実行する前記ステップの前に、
前記上位レイヤネットワーク要素によって、前記第１のＲＲＵによって送信された方位角を受信するステップをさらに含む請求項１１に記載の方法。
【請求項１３】
前記上位レイヤネットワーク要素によって、前記第１の遅延値に基づいてロケーション解決処理を実行する前記ステップは、
前記上位レイヤネットワーク要素によって、前記第１の遅延値および前記方位角に基づいてロケーション解決処理を実行するステップを含む請求項１２に記載の方法。
【請求項１４】
上位レイヤネットワーク要素によって、第１のＲＲＵによって送信された第１の遅延値を受信する前記ステップの前に、
前記上位レイヤネットワーク要素によって、フレームオフセット命令を前記第１のＲＲＵへ送信するステップであって、前記フレームオフセット命令は、第２のＲＲＵのダウンリンクウィンドウに対応するように前記第１のＲＲＵのアップリンクウィンドウに指示し、前記第２のＲＲＵは、既知のロケーションにおけるＲＲＵである、ステップをさらに含む請求項１１乃至１３のいずれか一項に記載の方法。
【請求項１５】
第１のリモートラジオユニットＲＲＵであって、
第２のＲＲＵによって送信された第１の参照信号を受信するように構成されている第１の受信ユニットであって、前記第１のＲＲＵは、測位対象ＲＲＵであり、前記第２のＲＲＵは、既知のロケーションにおけるＲＲＵである、第１の受信ユニットと、
前記第１の参照信号に基づいて第１の遅延値を決定するように構成されている決定ユニットと、
前記第１の遅延値を上位レイヤネットワーク要素に報告するように構成されている第１の報告ユニットであって、それによって前記上位レイヤネットワーク要素は、前記第１の遅延値に基づいてロケーション解決処理を実行して、前記第１のＲＲＵのロケーション情報を入手する、第１の報告ユニットとを含む第１のリモートラジオユニットＲＲＵ。
【請求項１６】
ガードピリオドＧＰにおいて第２の参照信号を前記第２のＲＲＵへ送信するように構成されている送信ユニットであって、それによって前記第２のＲＲＵは、前記第２の参照信号に基づいて第２の遅延値を計算し、前記第２の遅延値を前記第１の参照信号に付加する、送信ユニット
をさらに含む請求項１５に記載の第１のＲＲＵ。
【請求項１７】
前記決定ユニットは、
前記第１の参照信号に基づいて第３の遅延値を計算するように構成されている第１の計算サブユニットと、
前記第２の遅延値および前記第３の遅延値に基づいて前記第１の遅延値を計算するように構成されている第２の計算サブユニットとを含む請求項１６に記載の第１のＲＲＵ。
【請求項１８】
前記第２の計算サブユニットは、
Ａ＝（Ｂ＋Ｃ）／２
という様式で前記第１の遅延値を計算するように構成されている計算サブモジュールを含み、
Ａは、前記第１の遅延値であり、
Ｂは、前記第２の遅延値であり、
Ｃは、前記第３の遅延値である請求項１７に記載の第１のＲＲＵ。
【請求項１９】
前記第１の参照信号に基づいて方位角を計算するように構成されている計算ユニットと、
前記方位角を前記上位レイヤネットワーク要素に報告するように構成されている第２の報告ユニットであって、それによって前記上位レイヤネットワーク要素は、前記第１の遅延値および前記方位角に基づいてロケーション解決処理を実行して、前記第１のＲＲＵの前記ロケーション情報を入手する、第２の報告ユニットと
をさらに含む請求項１５に記載の第１のＲＲＵ。
【請求項２０】
フレームオフセット命令を受信するように構成されている第２の受信ユニットであって、前記フレームオフセット命令は、前記第２のＲＲＵのダウンリンクウィンドウに対応するように前記第１のＲＲＵのアップリンクウィンドウに指示する、第２の受信ユニット
をさらに含む請求項１５に記載の第１のＲＲＵ。
【請求項２１】
前記第１の参照信号は、特徴シーケンス信号、プライマリー同期信号ＰＳＳ、セカンダリー同期信号ＳＳＳ、セル固有参照信号ＣＲＳ、および／または測位パイロット信号を含む請求項１５乃至２０のいずれか一項に記載の第１のＲＲＵ。
【請求項２２】
第２のリモートラジオユニットＲＲＵであって、
第１のＲＲＵによって送信された第２の参照信号を受信するように構成されている第１の受信ユニットであって、前記第１のＲＲＵは、測位対象ＲＲＵであり、前記第２のＲＲＵは、既知のロケーションにおけるＲＲＵである、第１の受信ユニットと、
前記第２の参照信号に基づいてシーケンス検知強度および第２の遅延値を計算するように構成されている第１の計算ユニットと、
第１の参照信号を前記第１のＲＲＵへ送信するために、前記検知強度がしきい値よりも大きいセルを選択するように構成されている送信ユニットであって、前記第１の参照信号は、前記第２の遅延値を搬送し、それによって前記第１のＲＲＵは、前記第１の参照信号に基づいて第１の遅延値を決定し、前記第１の遅延値を上位レイヤネットワーク要素に報告し、前記上位レイヤネットワーク要素は、前記第１の遅延値に基づいてロケーション解決処理を実行して、前記第１のＲＲＵのロケーション情報を入手する、送信ユニットとを含む第２のリモートラジオユニットＲＲＵ。
【請求項２３】
前記第２の参照信号に基づいて方位角を計算するように構成されている第２の計算ユニット
をさらに含む請求項２２に記載の第２のＲＲＵ。
【請求項２４】
検知命令を受信するように構成されている第２の受信ユニットであって、前記検知命令は、前記第１のＲＲＵまたは前記上位レイヤネットワーク要素によって送信され、前記検知命令は、信号検知に備えるように前記第２のＲＲＵに指示するために使用される、第２の受信ユニット
をさらに含む請求項２２または２３に記載の第２のＲＲＵ。
【請求項２５】
第１のＲＲＵによって送信された第１の遅延値を受信するように構成されている第１の受信ユニットであって、前記第１のＲＲＵは、測位対象ＲＲＵである、第１の受信ユニットと、
前記第１の遅延値に基づいてロケーション解決処理を実行して、前記第１のＲＲＵのロケーション情報を入手するように構成されている処理ユニットと
を含む上位レイヤネットワーク要素。
【請求項２６】
前記第１のＲＲＵによって送信された方位角を受信するように構成されている第２の受信ユニット
をさらに含む請求項２５に記載の上位レイヤネットワーク要素。
【請求項２７】
前記処理ユニットは、
前記第１の遅延値および前記方位角に基づいてロケーション解決処理を実行するように構成されている処理サブユニットを含む請求項２６に記載の上位レイヤネットワーク要素。
【請求項２８】
フレームオフセット命令を前記第１のＲＲＵへ送信するように構成されている送信ユニットであって、前記フレームオフセット命令は、第２のＲＲＵのダウンリンクウィンドウに対応するように前記第１のＲＲＵのアップリンクウィンドウに指示し、前記第２のＲＲＵは、既知のロケーションにおけるＲＲＵである、送信ユニット
をさらに含む請求項２５乃至２７のいずれか一項に記載の上位レイヤネットワーク要素。
【請求項２９】
プロセッサおよびメモリ
を含む第１のリモートラジオユニットＲＲＵであって、
前記メモリは、オペレーション命令を格納しており、
前記プロセッサは、前記メモリに格納されている前記オペレーション命令を呼び出すことによって、
第２のＲＲＵによって送信された第１の参照信号を受信するステップであって、前記第１のＲＲＵは、測位対象ＲＲＵであり、前記第２のＲＲＵは、既知のロケーションにおけるＲＲＵである、ステップと、
前記第１の参照信号に基づいて第１の遅延値を決定するステップと、
前記第１の遅延値を上位レイヤネットワーク要素に報告し、それによって前記上位レイヤネットワーク要素は、前記第１の遅延値に基づいてロケーション解決処理を実行して、前記第１のＲＲＵのロケーション情報を入手するステップとを実行するように構成されている、第１のリモートラジオユニットＲＲＵ。
【請求項３０】
プロセッサおよびメモリ
を含む第２のリモートラジオユニットＲＲＵであって、
前記メモリは、オペレーション命令を格納しており、
前記プロセッサは、前記メモリに格納されている前記オペレーション命令を呼び出すことによって、
第１のＲＲＵによって送信された第２の参照信号を受信するステップであって、前記第１のＲＲＵは、測位対象ＲＲＵであり、前記第２のＲＲＵは、既知のロケーションにおけるＲＲＵである、ステップと、
前記第２の参照信号に基づいてシーケンス検知強度および第２の遅延値を計算するステップと、
第１の参照信号を前記第１のＲＲＵへ送信するために、前記検知強度がしきい値よりも大きいセルを選択するステップであって、前記第１の参照信号は、前記第２の遅延値を搬送し、それによって前記第１のＲＲＵは、前記第１の参照信号に基づいて第１の遅延値を決定し、前記第１の遅延値を上位レイヤネットワーク要素に報告し、前記上位レイヤネットワーク要素は、前記第１の遅延値に基づいてロケーション解決処理を実行して、前記第１のＲＲＵのロケーション情報を入手する、ステップとを実行するように構成されている、第２のリモートラジオユニットＲＲＵ。
【請求項３１】
プロセッサおよびメモリ
を含む上位レイヤネットワーク要素であって、
前記メモリは、オペレーション命令を格納しており、
前記プロセッサは、前記メモリに格納されている前記オペレーション命令を呼び出すことによって、
第１のＲＲＵによって送信された第１の遅延値を受信するステップであって、前記第１のＲＲＵは、測位対象ＲＲＵである、ステップと、
前記第１の遅延値に基づいてロケーション解決処理を実行して、前記第１のＲＲＵのロケーション情報を入手するステップとを実行するように構成されている、上位レイヤネットワーク要素。
【請求項３２】
命令を含むコンピュータ可読ストレージメディアであって、前記命令がコンピュータ上で実行されたときに、前記コンピュータは、請求項１乃至１４のいずれか一項に記載の方法を実行することを可能にされる、コンピュータ可読ストレージメディア。
【発明の詳細な説明】
【技術分野】
【０００１】
本出願は、通信分野に関し、詳細には、ＲＲＵ測位方法およびその装置に関する。
【背景技術】
【０００２】
本出願は、その全体が参照によって本明細書に組み込まれている、２０１７年１１月１０日に中国特許庁に出願された「ＲＲＵ  ＰＯＳＩＴＩＯＮＩＮＧ  ＭＥＴＨＯＤ  ＡＮＤ  ＲＥＬＡＴＥＤ  ＡＰＰＡＲＡＴＵＳ  ＴＨＥＲＥＯＦ」と題されている中国特許出願第２０１７１１１１２９８４．２号の優先権を主張するものである。
【０００３】
ワイヤレス通信ネットワークにおいては、展開されているサイトの経度および緯度の情報が記録される必要がある。従来のマクロ基地局に関しては、リモートラジオユニット（ｒｅｍｏｔｅ  ｒａｄｉｏ  ｕｎｉｔ、ＲＲＵ）およびベースバンド制御ユニット（ｂａｓｅｂａｎｄ  ｃｏｎｔｒｏｌ  ｕｎｉｔ、ＢＢＵ）が通常、非常に近いロケーションに展開されており、グローバルポジショニングシステム（ｇｌｏｂａｌ  ｐｏｓｉｔｉｏｎｉｎｇ  ｓｙｓｔｅｍ、ＧＰＳ）装置が、経度および緯度の情報を記録するためにＢＢＵ上に展開されており、その情報は、ネットワーク管理システムに自動的にアップロードされる。
【０００４】
ＲＲＵのロケーション情報を入手するために、従来技術におけるＲＲＵにおいてはＧＰＳモジュールも内蔵されている。しかしながら、ＧＰＳ信号は弱く、ＲＲＵの伝送電力は高いので、ロケーション情報の入手に対して干渉が引き起こされ、ＧＰＳ受信感度が影響される。したがって、従来技術におけるＲＲＵにおいては外部アンテナがさらに付加される。結果として、ＲＲＵ測位のコストは高い。
【発明の概要】
【０００５】
本出願の実施形態は、ＲＲＵの外部および内部の測位デバイスを付加することなく既存のネットワーク要素デバイスを使用することによってＲＲＵを測位するためのＲＲＵ測位方法およびその関連した装置を提供し、それによってＲＲＵ測位コストを低減する。
【０００６】
本出願の実施形態の第１の態様は、ＲＲＵ測位方法を提供する。この方法は、具体的には、第１のＲＲＵによって、第２のＲＲＵによって送信された第１の参照信号を受信するステップであって、第１のＲＲＵは、測位対象ＲＲＵであり、第２のＲＲＵは、既知のロケーションにおけるＲＲＵである、ステップと、次いで第１のＲＲＵによって、第１の参照信号に基づいて第１の遅延値を決定するステップと、最後に第１のＲＲＵによって、第１の遅延値を上位レイヤネットワーク要素に報告し、それによって上位レイヤネットワーク要素は、第１の遅延値に基づいてロケーション解決処理を実行して、第１のＲＲＵのロケーション情報を入手するステップとを含む。本出願のこの実施形態は、ＲＲＵの外部および内部の測位デバイスを付加することなく既存のネットワーク要素デバイスを使用することによってＲＲＵを測位することが可能であり、それによってＲＲＵ測位コストを低減する。
【０００７】
可能な設計において、本出願の実施形態の第１の態様の第１の実装においては、第１のＲＲＵによって、第２のＲＲＵによって送信された参照信号を受信するステップの前に、この方法は、第１のＲＲＵによって、ガードピリオドＧＰにおいて第２の参照信号を第２のＲＲＵへ送信し、それによって第２のＲＲＵは、第２の参照信号に基づいて第２の遅延値を計算し、第２の遅延値を第１の参照信号に付加するステップをさらに含む。この実施形態においては、第２のＲＲＵによって送信された参照信号を受信するステップに加えて、第１のＲＲＵは、参照信号を第２のＲＲＵへさらに送信し、それによって、その後に計算される遅延はより正確である。
【０００８】
可能な設計において、本出願の実施形態の第１の態様の第２の実装においては、第１のＲＲＵによって、第１の参照信号に基づいて第１の遅延値を決定するステップは、第１のＲＲＵによって、第１の参照信号に基づいて第３の遅延値を計算するステップと、次いで第２の遅延値および第３の遅延値に基づいて第１の遅延値を計算するステップとを含む。この実施形態においては、実際の遅延値が、第３の遅延値および第２の遅延値を参照して計算され、それによって、計算はより正確である。
【０００９】
可能な設計において、本出願の実施形態の第１の態様の第３の実装においては、第１のＲＲＵによって、第２の遅延値および第３の遅延値に基づいて第１の遅延値を計算するステップは、Ａ＝（Ｂ＋Ｃ）／２という様式で第１の遅延値を計算するステップを含み、Ａは、第１の遅延値であり、Ｂは、第２の遅延値であり、Ｃは、第３の遅延値である。この実施形態は、第１の遅延値を計算する具体的な様式を提供し、計算は、実施するのに簡単および容易である。
【００１０】
可能な設計において、本出願の実施形態の第１の態様の第４の実装においては、第１のＲＲＵによって、第２のＲＲＵによって送信された第１の参照信号を受信するステップの後に、この方法は、第１のＲＲＵによって、第１の参照信号に基づいて方位角を計算するステップと、第１のＲＲＵによって、方位角を上位レイヤネットワーク要素に報告し、それによって上位レイヤネットワーク要素は、第１の遅延値および方位角に基づいてロケーション解決処理を実行して、第１のＲＲＵのロケーション情報を入手するステップとをさらに含む。本出願のこの実施形態においては、第１のＲＲＵの位置情報が、方位角を参照してさらに計算され、それによって、計算はより正確である。
【００１１】
可能な設計において、本出願の実施形態の第１の態様の第５の実装においては、第１のＲＲＵによって、第２のＲＲＵによって送信された第１の参照信号を受信するステップの前に、この方法は、第１のＲＲＵによって、測位を開始した後にフレームオフセット命令を受信するステップであって、フレームオフセット命令は次いで、第２のＲＲＵのダウンリンクウィンドウに対応するように第１のＲＲＵのアップリンクウィンドウに指示する、ステップをさらに含む。本出願のこの実施形態においては、フレームオフセットが第２のＲＲＵ上で実行され、それによって特定の実装を強化する。
【００１２】
可能な設計において、本出願の実施形態の第１の態様の第６の実装においては、第１の参照信号は、特徴シーケンス信号、プライマリー同期信号ＰＳＳ、セカンダリー同期信号ＳＳＳ、セル固有参照信号ＣＲＳ、および／または測位パイロット信号を含む。本出願のこの実施形態においては、第１の参照信号のタイプが記述され、それによって、この実施形態の実施可能性を改善する。
【００１３】
本出願の実施形態の第２の態様は、ＲＲＵ測位方法を提供する。この方法は、具体的には、第２のＲＲＵによって、第１のＲＲＵによって送信された第２の参照信号を受信するステップであって、第１のＲＲＵは、測位対象ＲＲＵであり、第２のＲＲＵは、既知のロケーションにおけるＲＲＵである、ステップと、次いで第２のＲＲＵによって、第２の参照信号に基づいてシーケンス検知強度および第２の遅延値を計算するステップと、最後に第２のＲＲＵによって、第１の参照信号を第１のＲＲＵへ送信するために、検知強度がしきい値よりも大きいセルを選択するステップであって、第１の参照信号は、第２の遅延値を搬送し、それによって第１のＲＲＵは、第１の参照信号に基づいて第１の遅延値を決定し、第１の遅延値を上位レイヤネットワーク要素に報告し、上位レイヤネットワーク要素は、第１の遅延値に基づいてロケーション解決処理を実行して、第１のＲＲＵのロケーション情報を入手する、ステップとを含む。本出願のこの実施形態は、ＲＲＵの外部および内部の測位デバイスを付加することなく既存のネットワーク要素デバイスを使用することによってＲＲＵを測位することが可能であり、それによってＲＲＵ測位コストを低減する。
【００１４】
可能な設計において、本出願の実施形態の第２の態様の第１の実装においては、第２のＲＲＵによって、第１のＲＲＵによって送信された第２の参照信号を受信するステップの後に、この方法は、第２のＲＲＵによって、第２の参照信号に基づいて方位角を計算するステップをさらに含む。この実施形態においては、第２のＲＲＵは、方位角をさらに計算し得、それによって、この実施形態のインテグリティーを改善する。
【００１５】
可能な設計において、本出願の実施形態の第２の態様の第２の実装においては、第２のＲＲＵによって、第１のＲＲＵによって送信された第２の参照信号を受信するステップの前に、この方法は、第２のＲＲＵによって、検知命令を受信するステップであって、検知命令は、第１のＲＲＵまたは上位レイヤネットワーク要素によって送信され、検知命令は、信号検知に備えるように第２のＲＲＵに指示するために使用される、ステップをさらに含む。本出願においては、第２のＲＲＵは、検知命令を受信した後にのみ、シーケンス検知を実行することに備え、それによってリソースを節約する。
【００１６】
本出願の実施形態の第３の態様は、ＲＲＵ測位方法を提供する。この方法は、具体的には、上位レイヤネットワーク要素によって、第１のＲＲＵによって送信された第１の遅延値を受信するステップであって、第１のＲＲＵは、測位対象ＲＲＵである、ステップと、上位レイヤネットワーク要素によって、第１の遅延値に基づいてロケーション解決処理を実行して、第１のＲＲＵのロケーション情報を入手するステップとを含む。本出願のこの実施形態は、ＲＲＵの外部および内部の測位デバイスを付加することなく既存のネットワーク要素デバイスを使用することによってＲＲＵを測位することが可能であり、それによってＲＲＵ測位コストを低減する。
【００１７】
可能な設計において、本出願の実施形態の第３の態様の第１の実装においては、上位レイヤネットワーク要素によって、第１の遅延値に基づいてロケーション解決処理を実行するステップの前に、この方法は、上位レイヤネットワーク要素によって、第１のＲＲＵによって送信された方位角を受信するステップをさらに含む。この実施形態においては、上位レイヤネットワーク要素は、方位角をさらに受信し、それによって、その後の計算はより正確である。
【００１８】
可能な設計において、本出願の実施形態の第３の態様の第２の実装においては、上位レイヤネットワーク要素によって、第１の遅延値に基づいてロケーション解決処理を実行するステップは、上位レイヤネットワーク要素によって、第１の遅延値および方位角に基づいてロケーション解決処理を実行するステップを含む。この実施形態においては、遅延値および方位角を使用することによってロケーション解決処理が実行され、それによって、計算はより正確である。
【００１９】
可能な設計において、本出願の実施形態の第３の態様の第３の実装においては、上位レイヤネットワーク要素によって、第１のＲＲＵによって送信された第１の遅延値を受信するステップの前に、この方法は、上位レイヤネットワーク要素によって、フレームオフセット命令を第１のＲＲＵへ送信するステップであって、フレームオフセット命令は、第２のＲＲＵのダウンリンクウィンドウに対応するように第１のＲＲＵのアップリンクウィンドウに指示し、第２のＲＲＵは、既知のロケーションにおけるＲＲＵである、ステップをさらに含む。この実施形態においては、この実施形態のインテグリティーが改善される。
【００２０】
本出願の実施形態の第４の態様は、第１のＲＲＵを提供する。第１のＲＲＵは、具体的には、
第２のＲＲＵによって送信された第１の参照信号を受信するように構成されている第１の受信ユニットであって、第１のＲＲＵは、測位対象ＲＲＵであり、第２のＲＲＵは、既知のロケーションにおけるＲＲＵである、第１の受信ユニットと、
第１の参照信号に基づいて第１の遅延値を決定するように構成されている決定ユニットと、
第１の遅延値を上位レイヤネットワーク要素に報告するように構成されている報告ユニットであって、それによって上位レイヤネットワーク要素は、第１の遅延値に基づいてロケーション解決処理を実行して、第１のＲＲＵのロケーション情報を入手する、報告ユニットとを含む。
【００２１】
本出願のこの実施形態は、ＲＲＵの外部および内部の測位デバイスを付加することなく既存のネットワーク要素デバイスを使用することによってＲＲＵを測位することが可能であり、それによってＲＲＵ測位コストを低減する。
【００２２】
可能な設計において、本出願の実施形態の第４の態様の第１の実装においては、第１のＲＲＵは、
ガードピリオドＧＰにおいて第２の参照信号を第２のＲＲＵへ送信するように構成されている送信ユニットであって、それによって第２のＲＲＵは、第２の参照信号に基づいて第２の遅延値を計算し、第２の遅延値を第１の参照信号に付加する、送信ユニットをさらに含む。この実施形態においては、第２のＲＲＵによって送信された参照信号を受信することに加えて、第１のＲＲＵは、参照信号を第２のＲＲＵへさらに送信し、それによって、その後に計算される遅延はより正確である。
【００２３】
可能な設計において、本出願の実施形態の第４の態様の第２の実装においては、決定ユニットは、
第１の参照信号に基づいて第３の遅延値を計算するように構成されている第１の計算サブユニットと、
第２の遅延値および第３の遅延値に基づいて第１の遅延値を計算するように構成されている第２の計算サブユニットとを含む。
【００２４】
この実施形態においては、実際の遅延値が、第３の遅延値および第２の遅延値を参照して計算され、それによって、計算はより正確である。
【００２５】
可能な設計において、本出願の実施形態の第４の態様の第３の実装においては、第２の計算サブユニットは、
Ａ＝（Ｂ＋Ｃ）／２
という様式で第１の遅延値を計算するように構成されている計算サブモジュールを含み、
【００２６】
Ａは、第１の遅延値であり、
【００２７】
Ｂは、第２の遅延値であり、
【００２８】
Ｃは、第３の遅延値である。
【００２９】
この実施形態は、第１の遅延値を計算する具体的な様式を提供し、計算は、実施するのに簡単および容易である。
【００３０】
可能な設計において、本出願の実施形態の第４の態様の第４の実装においては、第１のＲＲＵは、
第１の参照信号に基づいて方位角を計算するように構成されている計算ユニットと、
方位角を上位レイヤネットワーク要素に報告するように構成されている第２の報告ユニットであって、それによって上位レイヤネットワーク要素は、第１の遅延値および方位角に基づいてロケーション解決処理を実行して、第１のＲＲＵのロケーション情報を入手する、第２の報告ユニットとをさらに含む。
【００３１】
本出願のこの実施形態においては、第１のＲＲＵの位置情報が、方位角を参照してさらに計算され、それによって、計算はより正確である。
【００３２】
可能な設計において、本出願の実施形態の第４の態様の第５の実装においては、第１のＲＲＵは、
フレームオフセット命令を受信するように構成されている第２の受信ユニットであって、フレームオフセット命令は、第２のＲＲＵのダウンリンクウィンドウに対応するように第１のＲＲＵのアップリンクウィンドウに指示する、第２の受信ユニットをさらに含む。
【００３３】
本出願のこの実施形態においては、フレームオフセットが第２のＲＲＵ上で実行され、それによって特定の実装を強化する。
【００３４】
可能な設計において、本出願の実施形態の第４の態様の第６の実装においては、第１の参照信号は、特徴シーケンス信号、プライマリー同期信号ＰＳＳ、セカンダリー同期信号ＳＳＳ、セル固有参照信号ＣＲＳ、および／または測位パイロット信号を含む。本出願のこの実施形態においては、第１の参照信号のタイプが記述され、それによって、この実施形態の実施可能性を改善する。
【００３５】
本出願の実施形態の第５の態様は、第２のＲＲＵを提供する。第２のＲＲＵは、具体的には、
第１のＲＲＵによって送信された第２の参照信号を受信するように構成されている第１の受信ユニットであって、第１のＲＲＵは、測位対象ＲＲＵであり、第２のＲＲＵは、既知のロケーションにおけるＲＲＵである、第１の受信ユニットと、
第２の参照信号に基づいてシーケンス検知強度および第２の遅延値を計算するように構成されている第１の計算ユニットと、
第１の参照信号を第１のＲＲＵへ送信するために、検知強度がしきい値よりも大きいセルを選択するように構成されている送信ユニットであって、第１の参照信号は、第２の遅延値を搬送し、それによって第１のＲＲＵは、第１の参照信号に基づいて第１の遅延値を決定し、第１の遅延値を上位レイヤネットワーク要素に報告し、上位レイヤネットワーク要素は、第１の遅延値に基づいてロケーション解決処理を実行して、第１のＲＲＵのロケーション情報を入手する、送信ユニットとを含む。
【００３６】
本出願のこの実施形態は、ＲＲＵの外部および内部の測位デバイスを付加することなく既存のネットワーク要素デバイスを使用することによってＲＲＵを測位することが可能であり、それによってＲＲＵ測位コストを低減する。
【００３７】
可能な設計において、本出願の実施形態の第５の態様の第１の実装においては、第２のＲＲＵは、
第２の参照信号に基づいて方位角を計算するように構成されている第２の計算ユニットをさらに含む。
【００３８】
この実施形態においては、第２のＲＲＵは、方位角をさらに計算し得、それによって、この実施形態のインテグリティーを改善する。
【００３９】
可能な設計において、本出願の実施形態の第５の態様の第２の実装においては、第２のＲＲＵは、
検知命令を受信するように構成されている第２の受信ユニットであって、検知命令は、第１のＲＲＵまたは上位レイヤネットワーク要素によって送信され、検知命令は、信号検知に備えるように第２のＲＲＵに指示するために使用される、第２の受信ユニットをさらに含む。
【００４０】
本出願においては、第２のＲＲＵは、検知命令を受信した後にのみ、シーケンス検知を実行することに備え、それによってリソースを節約する。
【００４１】
本出願の実施形態の第６の態様は、上位レイヤネットワーク要素を提供する。上位レイヤネットワーク要素は、具体的には、
第１のＲＲＵによって送信された第１の遅延値を受信するように構成されている第１の受信ユニットであって、第１のＲＲＵは、測位対象ＲＲＵである、第１の受信ユニットと、
第１の遅延値に基づいてロケーション解決処理を実行して、第１のＲＲＵのロケーション情報を入手するように構成されている処理ユニットとを含む。
【００４２】
本出願のこの実施形態は、ＲＲＵの外部および内部の測位デバイスを付加することなく既存のネットワーク要素デバイスを使用することによってＲＲＵを測位することが可能であり、それによってＲＲＵ測位コストを低減する。
【００４３】
可能な設計において、本出願の実施形態の第６の態様の第１の実装においては、上位レイヤネットワーク要素は、
第１のＲＲＵによって送信された方位角を受信するように構成されている第２の受信ユニットをさらに含む。
【００４４】
この実施形態においては、上位レイヤネットワーク要素は、方位角をさらに受信し、それによって、その後の計算はより正確である。
【００４５】
可能な設計において、本出願の実施形態の第６の態様の第２の実装においては、処理ユニットは、
第１の遅延値および方位角に基づいてロケーション解決処理を実行するように構成されている処理サブユニットを含む。
【００４６】
この実施形態においては、遅延値および方位角を使用することによってロケーション解決処理が実行され、それによって、計算はより正確である。
【００４７】
可能な設計において、本出願の実施形態の第６の態様の第３の実装においては、上位レイヤネットワーク要素は、
フレームオフセット命令を第１のＲＲＵへ送信するように構成されている送信ユニットであって、フレームオフセット命令は、第２のＲＲＵのダウンリンクウィンドウに対応するように第１のＲＲＵのアップリンクウィンドウに指示し、第２のＲＲＵは、既知のロケーションにおけるＲＲＵである、送信ユニットをさらに含む。
【００４８】
この実施形態においては、この実施形態のインテグリティーが改善される。
【００４９】
本出願の別の態様は、コンピュータ可読ストレージメディアを提供する。このコンピュータ可読ストレージメディアは、命令を格納している。その命令がコンピュータ上で実行されたときに、コンピュータは、前述の態様による方法を実行することを可能にされる。
【００５０】
本出願の別の態様は、命令を含むコンピュータプログラム製品を提供し、そのコンピュータプログラム製品がコンピュータ上で実行されたときに、コンピュータは、前述の態様による方法を実行することを可能にされる。
【００５１】
前述の技術的なソリューションによれば、本出願の実施形態は、下記の利点を有する。
【００５２】
本出願の実施形態においては、第１のＲＲＵは、第２のＲＲＵによって送信された第１の参照信号を受信し、第１のＲＲＵは、測位対象ＲＲＵであり、第２のＲＲＵは、既知のロケーションにおけるＲＲＵであり、第１のＲＲＵは、第１の参照信号に基づいて第１の遅延値を決定し、第１のＲＲＵは、第１の遅延値を上位レイヤネットワーク要素に報告し、それによって上位レイヤネットワーク要素は、第１の遅延値に基づいてロケーション解決処理を実行して、第１のＲＲＵのロケーション情報を入手する。本出願の実施形態は、ＲＲＵの外部および内部の測位デバイスを付加することなく既存のネットワーク要素デバイスを使用することによってＲＲＵを測位することが可能であり、それによってＲＲＵ測位コストを低減する。
【図面の簡単な説明】
【００５３】
【図１】本出願の実施形態によるＲＲＵ測位方法のシステムアーキテクチャーの概略図である。
【図２】本出願の実施形態によるＲＲＵ測位方法のフレーム構造の概略図である。
【図３】本出願の実施形態によるＲＲＵ測位方法の実施形態の概略図である。
【図４】本出願の実施形態によるＲＲＵ測位方法の別の実施形態の概略図である。
【図５】本出願の実施形態による第１のＲＲＵの実施形態の概略図である。
【図６】本出願の実施形態による第１のＲＲＵの別の実施形態の概略図である。
【図７】本出願の実施形態による第２のＲＲＵの実施形態の概略図である。
【図８】本出願の実施形態による第２のＲＲＵの別の実施形態の概略図である。
【図９】本出願の実施形態による上位レイヤネットワーク要素の実施形態の概略図である。
【図１０】本出願の実施形態による上位レイヤネットワーク要素の別の実施形態の概略図である。
【図１１】本出願の実施形態による第１のＲＲＵの別の実施形態の概略図である。
【図１２】本出願の実施形態による第２のＲＲＵの別の実施形態の概略図である。
【図１３】本出願の実施形態による上位レイヤネットワーク要素の別の実施形態の概略図である。
【発明を実施するための形態】
【００５４】
本出願の実施形態は、ＲＲＵの外部および内部の測位デバイスを付加することなく既存のネットワーク要素デバイスを使用することによってＲＲＵを測位するためのＲＲＵ測位方法およびその関連した装置を提供し、それによってＲＲＵ測位コストを低減する。
【００５５】
本出願の明細書、特許請求の範囲、および添付の図面においては、「第１の」、「第２の」、「第３の」、「第４の」などの用語は（存在する場合には）、類似しているオブジェクトを区別することを意図されているが、必ずしも特定の順序またはシーケンスを示しているとは限らない。そのような方法で称されているデータは、適切な状況において交換可能であり、それによって、本明細書において記述されている実施形態は、本明細書において示されているまたは記述されている順序以外の順序で実施されることが可能であるということを理解されたい。その上、「ｉｎｃｌｕｄｅ（含む）」、「ｃｏｎｔａｉｎ（含む）」という用語、およびその他の任意の変形は、非排他的な包含をカバーすることを意図しており、たとえば、一連のステップまたはユニットを含むプロセス、方法、システム、製品、またはデバイスは、それらのユニットに必ずしも限定されず、明示的に列挙されてはいない、またはそのようなプロセス、方法、システム、製品、もしくはデバイスに固有のその他のユニットを含み得る。
【００５６】
本発明の実施形態は、図１において示されているシステムアーキテクチャーに適用され得る。このシステムアーキテクチャーにおいては、第１のＲＲＵおよび第２のＲＲＵが、互いにシーケンスを送信し、第１のＲＲＵおよび第２のＲＲＵが配置されているエボルブドＮｏｄｅＢ（ｅｖｏｌｖｅｄ  Ｎｏｄｅ  Ｂ、ｅＮＢ）が、遅延を計算し、第１のＲＲＵのロケーションを計算するために、計算された遅延を上位レイヤネットワーク要素に報告する。第１のＲＲＵは、測位対象ＲＲＵであり、第２のＲＲＵは、第１のＲＲＵを測位する際に支援するＲＲＵであり、第２のＲＲＵは、既知のロケーションにおけるＲＲＵである。このシステムにおけるＲＲＵは、時分割複信（ｔｉｍｅ  ｄｉｖｉｓｉｏｎ  ｄｕｐｌｅｘ、ＴＤＤ）標準におけるＲＲＵである。
【００５７】
図２は、ＴＤＤロングタームエボリューション（ｌｏｎｇ  ｔｅｒｍ  ｅｖｏｌｕｔｉｏｎ、ＬＴＥ）構成２のフレーム構造を示している。ｅＮＢに関しては、Ｕサブフレームが、アップリンクデータを受信するためにのみ使用され、Ｄサブフレームが、ダウンリンクデータを伝送するためにのみ使用され、通常は、ガードピリオド（Ｇｕａｒｄ  Ｐｅｒｉｏｄ、ＧＰ）においては、データは送信または受信されないが、データは、それでもなお特徴機能に関しては送信および受信され得る。本出願の実施形態においては、ＴＤＤフレーム構造の特徴に基づいて、ＲＲＵが、ＧＰにおいてシーケンスを送信もしくは受信するために、または適切なフレームオフセットを使用することによって、ユーザ機器（ｕｓｅｒ  ｅｑｕｉｐｍｅｎｔ、ＵＥ）としてシミュレートされ得、着信遅延および／もしくは方位角を検知し得、測位計算を実行するために検知結果を上位レイヤネットワーク要素に報告し得る。
【００５８】
図３を参照すると、本発明の実施形態によるＲＲＵ測位方法の実施形態が、下記のステップを含む。
【００５９】
３０１．  第１のＲＲＵが、検知命令を第２のＲＲＵへ送信する。
【００６０】
この実施形態においては、第１のＲＲＵは、測位を開始した後に検知命令を第２のＲＲＵへ送信し、検知命令は、シーケンス検知に備えるように第２のＲＲＵに指示するために使用される。具体的には、第１のＲＲＵが配置されているｅＮＢが、シーケンス検知に備えるように周囲のセルに指示する。第１のＲＲＵは、測位対象ＲＲＵであり、第２のＲＲＵは、既知のロケーションにおけるＲＲＵである。
【００６１】
検知命令は、代替として、上位レイヤネットワーク要素によって第２のＲＲＵへ送信され得るということに留意されたい。本明細書では、具体的な送信方法は限定されない。
【００６２】
３０２．  第１のＲＲＵは、ＧＰにおいて第２の参照信号を第２のＲＲＵへ送信する。
【００６３】
この実施形態においては、第１のＲＲＵが測位を開始し、第２のＲＲＵがシーケンス検知に備えた後に、第１のＲＲＵによって、ＧＰにおいて第２の参照信号を第２のＲＲＵへ送信することは、具体的には、第１のＲＲＵによって、ＧＰにおいて特徴シーケンス信号を周囲のセルへ送信することであり得る。
【００６４】
特徴シーケンス信号は、比較的良好な自己相関を伴うシーケンス、たとえば、ＺＣシーケンスまたは疑似ランダムシーケンスとして設計され得、そのシーケンスは、すべてのセルに知られているシーケンスであるということに留意されたい。
【００６５】
３０３．  第２のＲＲＵは、第２の参照信号に基づいてシーケンス検知強度および第２の遅延値を計算する。
【００６６】
この実施形態においては、第２のＲＲＵによって、ＧＰにおいて受信された第２の参照信号に基づいてシーケンス検知強度および第２の遅延値を計算することは、具体的には、第１のＲＲＵの周囲のセルによって、事前に格納されている既知のシーケンスおよび受信された信号を使用することによって関連したオペレーションを実行して、シーケンス検知強度、第２の遅延値、および方位角を入手することであり得る。第２のＲＲＵは方位角を計算しなくてよいということに留意されたい。ここでは、これは特に限定されない。
【００６７】
第２の遅延値を計算する様式は、下記の通りであり得る。
送信シーケンス（第２のＲＲＵに事前に格納されているシーケンス）がｘ（ｎ）であり、ｎ＝０，１，．．．，Ｎであり、
受信された信号（第２のＲＲＵによって受信されたシーケンス）がｙ（ｐ）であり、ｐ＝０，１，．．．，Ｐであり、Ｐ≧Ｎであり、
検知された信号が、
【００６８】
【数１】
2021502761.tif 000003
【００６９】
であり、
【００７０】
ｒ（ｉ）の振幅がシーケンス検知強度であり、そのシーケンス検知強度内にあって、かつしきい値よりも大きい第１のシーケンス番号ｉに対応するサンプリングポイント時間が、第２の遅延値である。
【００７１】
第２のＲＲＵは、代替として、第２の参照信号に基づいて方位角を計算し得るということに留意されたい。
【００７２】
３０４．  第２のＲＲＵは、第１の参照信号を第１のＲＲＵへ送信するために、検知強度がしきい値よりも大きいセルを選択する。
【００７３】
この実施形態においては、第２のＲＲＵは、ＧＰにおいて第１の参照信号を第１のＲＲＵへ送信するために、検知強度がしきい値よりも大きいセルを選択し、第１の参照信号は、第２の遅延値および／または方位角を搬送する。具体的には、しきい値よりも大きい検知強度を提供する周囲の基地局によってサービス提供されているセルが、シーケンスを送信する。
【００７４】
３０５．  第１のＲＲＵは、第１の参照信号に基づいて第３の遅延値を決定する。
【００７５】
この実施形態においては、第１のＲＲＵは、第１の参照信号に基づいてシーケンス検知を実行して、第３の遅延値を計算する。加えて、第１のＲＲＵは、第１の参照信号に基づいて方位角をさらに計算し得る。第１のＲＲＵは方位角を計算しなくてよいということに留意されたい。本明細書では、これは特に限定されない。
【００７６】
３０６．  第１のＲＲＵは、第２の遅延値および第３の遅延値に基づいて第１の遅延値を計算する。
【００７７】
この実施形態においては、測定された遅延値が、実際の遅延値＋ＲＲＵの送信フレームヘッダのエラー−ＲＲＵの受信フレームヘッダのエラーに等しいので、第２の遅延値は、実際の遅延値＋第１のＲＲＵのフレームヘッダエラー−第２のＲＲＵのフレームヘッダエラーに等しく、第３の遅延値は、実際の遅延値＋第２のＲＲＵのフレームヘッダエラー−第１のＲＲＵのフレームヘッダエラーに等しい。前述の２つの式が差し引かれて、実際の遅延値が（第２の遅延値＋第３の遅延値）／２に等しいということを入手する。
【００７８】
この実施形態においては、測位対象ＲＲＵおよび周囲の検知を行っているＲＲＵが、相互の伝送および受信を実行し、伝送および受信の相互のオペレーションを実行するＲＲＵの１つのペアの受信遅延が平均化されて、ＲＲＵ間の同期化エラーのインパクトをなくし、ＲＲＵ間の実際の遅延を正確に推定する。
【００７９】
この実施形態においては、第１の遅延値は実際の遅延値であるということに留意されたい。
【００８０】
３０７．  第１のＲＲＵは、第１の遅延値を上位レイヤネットワーク要素に報告する。
【００８１】
この実施形態においては、第１のＲＲＵは、計算された第１の遅延値を上位レイヤネットワーク要素に報告し、第１のＲＲＵまたは第２のＲＲＵは、方位角を上位レイヤネットワーク要素にさらに報告し得、それによって上位レイヤネットワーク要素は、第１の遅延値および／または方位角に基づいてロケーション解決を実行する。方位角が上位レイヤネットワーク要素に報告されない場合、第１のＲＲＵのロケーション情報を解決するためには、少なくとも３つの第２のＲＲＵ（３つの第１の遅延値）が必要とされるということに留意されたい。方位角が上位レイヤネットワーク要素に報告される場合には、第１のＲＲＵのロケーション情報は、１つまたは２つの第２のＲＲＵのみを使用することによって計算され得る。
【００８２】
３０８．  上位レイヤネットワーク要素は、第１の遅延値に基づいてロケーション解決処理を実行して、第１のＲＲＵのロケーション情報を入手する。
【００８３】
この実施形態においては、上位レイヤネットワーク要素は、第１の遅延値に基づいてロケーション解決処理を実行する。第１のＲＲＵまたは第２のＲＲＵが方位角を上位レイヤネットワーク要素に報告する場合には、上位レイヤネットワーク要素は、第１の遅延値および方位角に基づいてロケーション解決処理をさらに実行して、第１のＲＲＵのロケーション情報を入手する。
【００８４】
本出願のこの実施形態においては、第１のＲＲＵは、ＧＰにおいて第２のＲＲＵによって送信された第１の参照信号をＧＰにおいて受信し、第１のＲＲＵは、測位対象ＲＲＵであり、第２のＲＲＵは、既知のロケーションにおけるＲＲＵであり、次いで第１のＲＲＵは、第１の参照信号に基づいて第１の遅延値を決定し、第１のＲＲＵは、第１の遅延値を上位レイヤネットワーク要素に報告し、それによって上位レイヤネットワーク要素は、第１の遅延値に基づいてロケーション解決処理を実行して、第１のＲＲＵのロケーション情報を入手する。この実施形態においては、専用の測位シーケンスが、ＧＰにおいて送信および受信されるように設計されており、シーケンス受信信号強度およびＲＲＵ間の遅延が推定され、遅延ベースの測位が実行される。この方法においては、ＲＲＵの外部および内部の測位デバイスを付加することなく既存のネットワーク要素デバイスを使用することによってＲＲＵが測位されることが可能であり、それによってＲＲＵ測位コストを低減する。
【００８５】
図４を参照すると、本発明の実施形態によるＲＲＵ測位方法の別の実施形態が、下記のステップを含む。
【００８６】
４０１．  上位レイヤネットワーク要素が、フレームオフセット命令を第１のＲＲＵへ送信する。
【００８７】
この実施形態においては、測位が開始された後に、上位レイヤネットワーク要素は、フレームオフセット命令を第１のＲＲＵへ送信し、それによって、第１のＲＲＵのセルのアップリンク受信ウィンドウが、周囲のセル（第２のＲＲＵのセル）のダウンリンク伝送ウィンドウ内に収まり、第１のＲＲＵは、測位対象ＲＲＵであり、第２のＲＲＵは、既知のロケーションにおけるＲＲＵである。
【００８８】
４０２．  第１のＲＲＵは、第２のＲＲＵによって送信された第１の参照信号を受信する。
【００８９】
この実施形態においては、第１のＲＲＵによって、第２のＲＲＵによって送信された第１の参照信号を受信することは、具体的には、第１のＲＲＵによって、周囲の基地局の第１の参照信号を探すことであり得る。第１の参照信号は、プライマリー同期信号（ｐｒｉｍａｒｙ  ｓｙｎｃｈｒｏｎｉｚａｔｉｏｎ  ｓｉｇｎａｌ、ＰＳＳ）、セカンダリー同期信号（ｓｅｃｏｎｄａｒｙ  ｓｙｎｃｈｒｏｎｉｚａｔｉｏｎ  ｓｉｇｎａｌ、ＳＳＳ）、セル固有参照信号（ｃｅｌｌ−ｓｐｅｃｉｆｉｃ  ｒｅｆｅｒｅｎｃｅ  ｓｉｇｎａｌｓ、ＣＲＳ）、および／または測位パイロット信号を含む。
【００９０】
４０３．  第１のＲＲＵは、第１の参照信号に基づいて第１の遅延値を決定する。
【００９１】
この実施形態においては、第１のＲＲＵが第１の参照信号を受信した後に、第１のＲＲＵのセルは、第１の参照信号に基づいて遅延値を計算して、第１のＲＲＵと第２のＲＲＵとの間における遅延差を入手する、すなわち、第１の遅延値を入手する。
【００９２】
４０４．  第１のＲＲＵは、第１の遅延値を上位レイヤネットワーク要素に報告する。
【００９３】
この実施形態においては、計算を通じて第１の遅延値を入手した後に、第１のＲＲＵのセルは、第１の遅延値を上位レイヤネットワーク要素に報告し、それによって上位レイヤネットワーク要素は、第１の遅延値に基づいてロケーション解決を実行して、第１のＲＲＵのロケーション情報を入手し得る。
【００９４】
４０５．  上位レイヤネットワーク要素は、第１の遅延値に基づいてロケーション解決処理を実行して、第１のＲＲＵのロケーション情報を入手する。
【００９５】
この実施形態においては、第１の遅延値を受信した後に、上位レイヤネットワーク要素は、第１の遅延値に基づいてロケーション解決処理を実行して、第１のＲＲＵのロケーション情報を入手する。
【００９６】
本出願のこの実施形態においては、測位が開始された後に、上位レイヤネットワーク要素は、フレームオフセット命令を第１のＲＲＵへ送信し、それによって、第１のＲＲＵセルのアップリンク受信ウィンドウが、第２のＲＲＵセルのダウンリンク伝送ウィンドウ内に収まる。次いで第１のＲＲＵは、第２のＲＲＵの第１の参照情報を探し、第１の参照情報に基づいて第１の遅延値を計算する。加えて、第１の遅延値は、上位レイヤネットワーク要素に報告され、上位レイヤネットワーク要素は、第１の遅延値を使用することによってロケーション解決処理を実行して、第１のＲＲＵのロケーション情報を入手する。この方法においては、ＲＲＵの外部および内部の測位デバイスを付加することなく既存のネットワーク要素デバイスを使用することによってＲＲＵが測位されることが可能であり、それによってＲＲＵ測位コストを低減する。
【００９７】
図５を参照すると、本出願の実施形態における第１のＲＲＵの実施形態が、
第２のＲＲＵによって送信された第１の参照信号を受信するように構成されている第１の受信ユニット５０１であって、第１のＲＲＵは、測位対象ＲＲＵであり、第２のＲＲＵは、既知のロケーションにおけるＲＲＵである、第１の受信ユニット５０１と、
第１の参照信号に基づいて第１の遅延値を決定するように構成されている決定ユニット５０２と、
第１の遅延値を上位レイヤネットワーク要素に報告するように構成されている第１の報告ユニット５０３であって、それによって上位レイヤネットワーク要素は、第１の遅延値に基づいてロケーション解決処理を実行して、第１のＲＲＵのロケーション情報を入手する、第１の報告ユニット５０３とを含む。
【００９８】
本出願のこの実施形態においては、第１の受信ユニット５０１は、第２のＲＲＵによって送信された第１の参照信号を受信し、第１のＲＲＵは、測位対象ＲＲＵであり、第２のＲＲＵは、既知のロケーションにおけるＲＲＵであり、決定ユニット５０２は、第１の参照信号に基づいて第１の遅延値を決定し、第１の報告ユニット５０３は、第１の遅延値を上位レイヤネットワーク要素に報告し、それによって上位レイヤネットワーク要素は、第１の遅延値に基づいてロケーション解決処理を実行して、第１のＲＲＵのロケーション情報を入手する。本出願のこの実施形態は、ＲＲＵの外部および内部の測位デバイスを付加することなく既存のネットワーク要素デバイスを使用することによってＲＲＵを測位することが可能であり、それによってＲＲＵ測位コストを低減する。
【００９９】
図６を参照すると、本出願の実施形態における第１のＲＲＵの別の実施形態が、
フレームオフセット命令を受信するように構成されている第２の受信ユニット６０１であって、フレームオフセット命令は、第２のＲＲＵのダウンリンクウィンドウに対応するように第１のＲＲＵのアップリンクウィンドウに指示する、第２の受信ユニット６０１と、
ガードピリオドＧＰにおいて第２の参照信号を第２のＲＲＵへ送信するように構成されている送信ユニット６０２であって、それによって第２のＲＲＵは、第２の参照信号に基づいて第２の遅延値を計算し、第２の遅延値を第１の参照信号に付加する、送信ユニット６０２と、
第２のＲＲＵによって送信された第１の参照信号を受信するように構成されている第１の受信ユニット６０３であって、第１のＲＲＵは、測位対象ＲＲＵであり、第２のＲＲＵは、既知のロケーションにおけるＲＲＵである、第１の受信ユニット６０３と、
第１の参照信号に基づいて第１の遅延値を決定するように構成されている決定ユニット６０４であって、
第１の参照信号に基づいて第３の遅延値を計算するように構成されている第１の計算サブユニット６０４１と、
第２の遅延値および第３の遅延値に基づいて第１の遅延値を計算するように構成されている第２の計算サブユニット６０４２とを含み、
第２の決定サブユニット６０４２は、
Ａ＝（Ｂ＋Ｃ）／２
という様式で第１の遅延値を計算するように構成されている計算サブモジュールを含み、
Ａは、第１の遅延値であり、
Ｂは、第２の遅延値であり、
Ｃは、第３の遅延値である、
決定ユニット６０４と、
第１の参照信号に基づいて方位角を計算するように構成されている計算ユニット６０５と、
方位角を上位レイヤネットワーク要素に報告するように構成されている第２の報告ユニット６０６であって、それによって上位レイヤネットワーク要素は、第１の遅延値および方位角に基づいてロケーション解決処理を実行して、第１のＲＲＵのロケーション情報を入手する、第２の報告ユニット６０６と、
第１の遅延値を上位レイヤネットワーク要素に報告するように構成されている第１の報告ユニット６０７であって、それによって上位レイヤネットワーク要素は、第１の遅延値に基づいてロケーション解決処理を実行して、第１のＲＲＵのロケーション情報を入手する、第１の報告ユニット６０７とを含む。
【０１００】
本出願のこの実施形態においては、第１の受信ユニット６０３は、第２のＲＲＵによって送信された第１の参照信号を受信し、第１のＲＲＵは、測位対象ＲＲＵであり、第２のＲＲＵは、既知のロケーションにおけるＲＲＵであり、決定ユニット６０４は、第１の参照信号に基づいて第１の遅延値を決定し、第１の報告ユニット６０７は、第１の遅延値を上位レイヤネットワーク要素に報告し、それによって上位レイヤネットワーク要素は、第１の遅延値に基づいてロケーション解決処理を実行して、第１のＲＲＵのロケーション情報を入手する。本出願のこの実施形態は、ＲＲＵの外部および内部の測位デバイスを付加することなく既存のネットワーク要素デバイスを使用することによってＲＲＵを測位することが可能であり、それによってＲＲＵ測位コストを低減する。
【０１０１】
図７を参照すると、本出願の実施形態における第２のＲＲＵの実施形態が、
第１のＲＲＵによって送信された第２の参照信号を受信するように構成されている第１の受信ユニット７０１であって、第１のＲＲＵは、測位対象ＲＲＵであり、第２のＲＲＵは、既知のロケーションにおけるＲＲＵである、第１の受信ユニット７０１と、
第２の参照信号に基づいてシーケンス検知強度および第２の遅延値を計算するように構成されている第１の計算ユニット７０２と、
第１の参照信号を第１のＲＲＵへ送信するために、検知強度がしきい値よりも大きいセルを選択するように構成されている送信ユニット７０３であって、第１の参照信号は、第２の遅延値を搬送し、それによって第１のＲＲＵは、第１の参照信号に基づいて第１の遅延値を決定し、第１の遅延値を上位レイヤネットワーク要素に報告し、上位レイヤネットワーク要素は、第１の遅延値に基づいてロケーション解決処理を実行して、第１のＲＲＵのロケーション情報を入手する、送信ユニット７０３とを含む。
【０１０２】
本出願のこの実施形態においては、第１の受信ユニット７０１は、第１のＲＲＵによって送信された第２の参照信号を受信し、第１のＲＲＵは、測位対象ＲＲＵであり、第２のＲＲＵは、既知のロケーションにおけるＲＲＵであり、第１の計算ユニット７０２は、第２の参照信号に基づいてシーケンス検知強度および第２の遅延値を計算し、送信ユニット７０３は、第１の参照信号を第１のＲＲＵへ送信するために、検知強度がしきい値よりも大きいセルを選択し、第１の参照信号は、第２の遅延値を搬送し、それによって第１のＲＲＵは、第１の参照信号に基づいて第１の遅延値を決定し、第１の遅延値を上位レイヤネットワーク要素に報告し、上位レイヤネットワーク要素は、第１の遅延値に基づいてロケーション解決処理を実行して、第１のＲＲＵのロケーション情報を入手する。本出願のこの実施形態は、ＲＲＵの外部および内部の測位デバイスを付加することなく既存のネットワーク要素デバイスを使用することによってＲＲＵを測位することが可能であり、それによってＲＲＵ測位コストを低減する。
【０１０３】
図８を参照すると、本出願の実施形態における第２のＲＲＵの別の実施形態が、
検知命令を受信するように構成されている第２の受信ユニット８０１であって、検知命令は、第１のＲＲＵまたは上位レイヤネットワーク要素によって送信され、検知命令は、信号検知に備えるように第２のＲＲＵに指示するために使用される、第２の受信ユニット８０１と、
第１のＲＲＵによって送信された第２の参照信号を受信するように構成されている第１の受信ユニット８０２であって、第１のＲＲＵは、測位対象ＲＲＵであり、第２のＲＲＵは、既知のロケーションにおけるＲＲＵである、第１の受信ユニット８０２と、
第２の参照信号に基づいてシーケンス検知強度および第２の遅延値を計算するように構成されている第１の計算ユニット８０３と、
第２の参照信号に基づいて方位角を計算するように構成されている第２の計算ユニット８０４と、
第１の参照信号を第１のＲＲＵへ送信するために、検知強度がしきい値よりも大きいセルを選択するように構成されている送信ユニット８０５であって、第１の参照信号は、第２の遅延値を搬送し、それによって第１のＲＲＵは、第１の参照信号に基づいて第１の遅延値を決定し、第１の遅延値を上位レイヤネットワーク要素に報告し、上位レイヤネットワーク要素は、第１の遅延値に基づいてロケーション解決処理を実行して、第１のＲＲＵのロケーション情報を入手する、送信ユニット８０５とを含む。
【０１０４】
本出願のこの実施形態においては、第１の受信ユニット８０２は、第１のＲＲＵによって送信された第２の参照信号を受信し、第１のＲＲＵは、測位対象ＲＲＵであり、第２のＲＲＵは、既知のロケーションにおけるＲＲＵであり、第１の計算ユニット８０３は、第２の参照信号に基づいてシーケンス検知強度および第２の遅延値を計算し、送信ユニット８０５は、第１の参照信号を第１のＲＲＵへ送信するために、検知強度がしきい値よりも大きいセルを選択し、第１の参照信号は、第２の遅延値を搬送し、それによって第１のＲＲＵは、第１の参照信号に基づいて第１の遅延値を決定し、第１の遅延値を上位レイヤネットワーク要素に報告し、上位レイヤネットワーク要素は、第１の遅延値に基づいてロケーション解決処理を実行して、第１のＲＲＵのロケーション情報を入手する。本出願のこの実施形態は、ＲＲＵの外部および内部の測位デバイスを付加することなく既存のネットワーク要素デバイスを使用することによってＲＲＵを測位することが可能であり、それによってＲＲＵ測位コストを低減する。
【０１０５】
図９を参照すると、本出願の実施形態における上位レイヤネットワーク要素の実施形態が、
第１のＲＲＵによって送信された第１の遅延値を受信するように構成されている第１の受信ユニット９０１であって、第１のＲＲＵは、測位対象ＲＲＵである、第１の受信ユニット９０１と、
第１の遅延値に基づいてロケーション解決処理を実行して、第１のＲＲＵのロケーション情報を入手するように構成されている処理ユニット９０２とを含む。
【０１０６】
本出願のこの実施形態においては、第１の受信ユニット９０１は、第１のＲＲＵによって送信された第１の遅延値を受信し、第１のＲＲＵは、測位対象ＲＲＵであり、処理ユニット９０２は、第１の遅延値に基づいてロケーション解決処理を実行して、第１のＲＲＵのロケーション情報を入手する。本出願のこの実施形態は、ＲＲＵの外部および内部の測位デバイスを付加することなく既存のネットワーク要素デバイスを使用することによってＲＲＵを測位することが可能であり、それによってＲＲＵ測位コストを低減する。
【０１０７】
図１０を参照すると、本出願の実施形態における上位レイヤネットワーク要素の別の実施形態が、
フレームオフセット命令を第１のＲＲＵへ送信するように構成されている送信ユニット１００１であって、フレームオフセット命令は、第２のＲＲＵのダウンリンクウィンドウに対応するように第１のＲＲＵのアップリンクウィンドウに指示し、第２のＲＲＵは、既知のロケーションにおけるＲＲＵである、送信ユニット１００１と、
第１のＲＲＵによって送信された第１の遅延値を受信するように構成されている第１の受信ユニット１００２であって、第１のＲＲＵは、測位対象ＲＲＵである、第１の受信ユニット１００２と、
第１のＲＲＵによって送信された方位角を受信するように構成されている第２の受信ユニット１００３と、
第１の遅延値に基づいてロケーション解決処理を実行して、第１のＲＲＵのロケーション情報を入手するように構成されている処理ユニット１００４とを含む。
【０１０８】
処理ユニット１００４は、
第１の遅延値および方位角に基づいてロケーション解決処理を実行するように構成されている処理サブユニット１００４１を含む。
【０１０９】
本出願のこの実施形態においては、第１の受信ユニット１００２は、第１のＲＲＵによって送信された第１の遅延値を受信し、第１のＲＲＵは、測位対象ＲＲＵであり、処理ユニット１００４は、第１の遅延値に基づいてロケーション解決処理を実行して、第１のＲＲＵのロケーション情報を入手する。本出願のこの実施形態は、ＲＲＵの外部および内部の測位デバイスを付加することなく既存のネットワーク要素デバイスを使用することによってＲＲＵを測位することが可能であり、それによってＲＲＵ測位コストを低減する。
【０１１０】
図１１を参照すると、本出願の実施形態における第１のＲＲＵの別の実施形態が、下記を含む。
【０１１１】
図１１は、本発明の実施形態による第１のＲＲＵの概略構造図である。第１のＲＲＵ１１００は、さまざまな構成またはパフォーマンスに起因して比較的大きな差異を有し得、１つまたは複数の中央処理装置（ｃｅｎｔｒａｌ  ｐｒｏｃｅｓｓｉｎｇ  ｕｎｉｔｓ、ＣＰＵ）１１２２（たとえば、１つまたは複数のプロセッサ）、メモリ１１３２、アプリケーションプログラム１１４２またはデータ１１４４を格納している１つまたは複数のストレージメディア１１３０（たとえば、１つまたは複数のマスストレージデバイス）を含み得る。メモリ１１３２およびストレージメディア１１３０は、一時ストレージまたは永続ストレージであり得る。ストレージメディア１１３０に格納されるプログラムは、１つまたは複数のモジュール（図示せず）を含み得、それぞれのモジュールは、第１のＲＲＵに関する一連の命令オペレーションを含み得る。さらに、中央処理装置１１２２は、ストレージメディア１１３０と通信して、ストレージメディア１１３０内のそれらの一連の命令オペレーションを第１のＲＲＵ１１００上で実行するように構成され得る。
【０１１２】
第１のＲＲＵ１１００は、１つもしくは複数の電源１１２６、１つもしくは複数の有線もしくはワイヤレスネットワークインターフェース１１５０、１つもしくは複数の入力／出力インターフェース１１５８、ならびに／または、Ｗｉｎｄｏｗｓ  Ｓｅｒｖｅｒ（商標）、Ｍａｃ  ＯＳ  Ｘ（商標）、Ｕｎｉｘ（商標）、Ｌｉｎｕｘ（商標）、およびＦｒｅｅＢＳＤ（商標）などの１つもしくは複数のオペレーティングシステム１１４１をさらに含み得る。
【０１１３】
前述の実施形態において第１のＲＲＵによって実行されるステップは、図１１において示されている第１のＲＲＵの構造に基づき得る。
【０１１４】
図１２を参照すると、本出願の実施形態における第２のＲＲＵの別の実施形態が、下記を含む。
【０１１５】
図１２は、本発明の実施形態による第２のＲＲＵの概略構造図である。第２のＲＲＵ１２００は、さまざまな構成またはパフォーマンスに起因して比較的大きな差異を有し得、１つまたは複数の中央処理装置（ｃｅｎｔｒａｌ  ｐｒｏｃｅｓｓｉｎｇ  ｕｎｉｔｓ、ＣＰＵ）１２２２（たとえば、１つまたは複数のプロセッサ）、メモリ１２３２、アプリケーションプログラム１２４２またはデータ１２４４を格納している１つまたは複数のストレージメディア１２３０（たとえば、１つまたは複数のマスストレージデバイス）を含み得る。メモリ１２３２およびストレージメディア１２３０は、一時ストレージまたは永続ストレージであり得る。ストレージメディア１２３０に格納されるプログラムは、１つまたは複数のモジュール（図示せず）を含み得、それぞれのモジュールは、第２のＲＲＵに関する一連の命令オペレーションを含み得る。さらに、中央処理装置１２２２は、ストレージメディア１２３０と通信して、ストレージメディア１２３０内のそれらの一連の命令オペレーションを第２のＲＲＵ１２００上で実行するように構成され得る。
【０１１６】
第２のＲＲＵ１２００は、１つもしくは複数の電源１２２６、１つもしくは複数の有線もしくはワイヤレスネットワークインターフェース１２５０、１つもしくは複数の入力／出力インターフェース１２５８、ならびに／または、Ｗｉｎｄｏｗｓ  Ｓｅｒｖｅｒ（商標）、Ｍａｃ  ＯＳ  Ｘ（商標）、Ｕｎｉｘ（商標）、Ｌｉｎｕｘ（商標）、およびＦｒｅｅＢＳＤ（商標）などの１つもしくは複数のオペレーティングシステム１２４１をさらに含み得る。
【０１１７】
前述の実施形態において第２のＲＲＵによって実行されるステップは、図１２において示されている第２のＲＲＵの構造に基づき得る。
【０１１８】
図１３を参照すると、本出願の実施形態における上位レイヤネットワーク要素の別の実施形態が、下記を含む。
【０１１９】
図１３は、本発明の実施形態による上位レイヤネットワーク要素の概略構造図である。上位レイヤネットワーク要素１３００は、さまざまな構成またはパフォーマンスに起因して比較的大きな差異を有し得、１つまたは複数の中央処理装置（ｃｅｎｔｒａｌ  ｐｒｏｃｅｓｓｉｎｇ  ｕｎｉｔｓ、ＣＰＵ）１３２２（たとえば、１つまたは複数のプロセッサ）、メモリ１３３２、アプリケーションプログラム１３４２またはデータ１３４４を格納している１つまたは複数のストレージメディア１３３０（たとえば、１つまたは複数のマスストレージデバイス）を含み得る。メモリ１３３２およびストレージメディア１３３０は、一時ストレージまたは永続ストレージであり得る。ストレージメディア１３３０に格納されるプログラムは、１つまたは複数のモジュール（図示せず）を含み得、それぞれのモジュールは、上位レイヤネットワーク要素に関する一連の命令オペレーションを含み得る。さらに、中央処理装置１３２２は、ストレージメディア１３３０と通信して、ストレージメディア１３３０内のそれらの一連の命令オペレーションを上位レイヤネットワーク要素１３００上で実行するように構成され得る。
【０１２０】
上位レイヤネットワーク要素１３００は、１つもしくは複数の電源１３２６、１つもしくは複数の有線もしくはワイヤレスネットワークインターフェース１３５０、１つもしくは複数の入力／出力インターフェース１３５８、ならびに／または、Ｗｉｎｄｏｗｓ  Ｓｅｒｖｅｒ（商標）、Ｍａｃ  ＯＳ  Ｘ（商標）、Ｕｎｉｘ（商標）、Ｌｉｎｕｘ（商標）、およびＦｒｅｅＢＳＤ（商標）などの１つもしくは複数のオペレーティングシステム１３４１をさらに含み得る。
【０１２１】
前述の実施形態において上位レイヤネットワーク要素によって実行されるステップは、図１３において示されている上位レイヤネットワーク要素の構造に基づき得る。
【０１２２】
前述の実施形態のうちのすべてまたはいくつかは、ソフトウェア、ハードウェア、ファームウェア、またはそれらの任意の組合せを使用することによって実装され得る。実施形態を実装するためにソフトウェアが使用される場合には、実施形態は、完全にまたは部分的にコンピュータプログラム製品の形態で実装され得る。
【０１２３】
コンピュータプログラム製品は、１つまたは複数のコンピュータ命令を含む。コンピュータプログラム命令がコンピュータ上にロードされて実行されたときに、本発明の実施形態による手順または機能がすべてまたは部分的に生成される。コンピュータは、汎用コンピュータ、専用コンピュータ、コンピュータネットワーク、またはその他のプログラム可能な装置であり得る。コンピュータ命令は、コンピュータ可読ストレージメディアに格納され得、またはコンピュータ可読ストレージメディアから別のコンピュータ可読ストレージメディアへ伝送され得る。たとえば、コンピュータ命令は、ウェブサイト、コンピュータ、サーバ、またはデータセンターから、別のウェブサイト、コンピュータ、サーバ、またはデータセンターへ、有線（たとえば、同軸ケーブル、光ファイバ、もしくはデジタルサブスクライバーライン（ＤＳＬ））またはワイヤレス（たとえば、赤外線、無線、もしくはマイクロ波）の様式で伝送され得る。コンピュータ可読ストレージメディアは、１つまたは複数の使用可能メディアを統合している、コンピュータ、またはデータストレージデバイス、たとえば、サーバまたはデータセンターによってアクセス可能な任意の使用可能メディアであり得る。使用可能メディアは、磁気メディア（たとえば、フロッピーディスク、ハードディスク、または磁気テープ）、光メディア（たとえば、ＤＶＤ）、半導体メディア（たとえば、ソリッドステートドライブ、ソリッドステートディスク（Ｓｏｌｉｄ  Ｓｔａｔｅ  Ｄｉｓｋ、ＳＳＤ））などであり得る。
【０１２４】
便利で簡単な説明の目的のために、前述のシステム、装置、およびユニットの詳細な動作プロセスに関しては、前述の方法実施形態における対応するプロセスを参照するということが当業者によって明らかに理解され得、詳細がここで再び記述されることはない。
【０１２５】
本出願において提供されているいくつかの実施形態においては、開示されているシステム、装置、および方法は、その他の様式で実施され得るということを理解されたい。たとえば、記述されている装置実施形態は、例にすぎない。たとえば、ユニット区分は、論理的な機能区分にすぎず、実際の実施においてはその他の区分であってもよい。たとえば、複数のユニットもしくはコンポーネントが組み合わされてもしくは統合されて別のシステムになってもよく、またはいくつかの機能が無視されてもよく、もしくは実行されなくてもよい。加えて、表示されているまたは論じられている相互結合もしくは直接の結合または通信接続は、いくつかのインターフェースを使用することによって実施され得る。装置間またはユニット間における間接的な結合または通信接続は、電子的な形態、機械的な形態、またはその他の形態で実施され得る。
【０１２６】
別々の部分として記述されているユニットは、物理的に別々であってもよく、または物理的に別々でなくてもよく、ユニットとして表示されている部分は、物理的なユニットであってもよく、または物理的なユニットでなくてもよく、１つの位置に配置されてもよく、または複数のネットワークユニット上に分散されてもよい。ユニットのうちのいくつかまたはすべては、実施形態のソリューションの目的を達成するために実際の要件に基づいて選択され得る。
【０１２７】
加えて、本出願の実施形態における機能ユニットが統合されて１つの処理ユニットになってもよく、またはそれらのユニットのそれぞれが物理的に単独で存在してもよく、または２つ以上のユニットが統合されて１つのユニットになる。統合されたユニットは、ハードウェアの形態で実装されてもよく、ソフトウェア機能ユニットの形態で実装されてもよい。
【０１２８】
統合されたユニットが、ソフトウェア機能ユニットの形態で実装されて、独立した製品として販売または使用される場合には、統合されたユニットは、コンピュータ可読ストレージメディアに格納され得る。そのような理解に基づいて、本出願の技術的なソリューションは本質的に、または従来技術に寄与する部分は、またはこれらの技術的なソリューションのすべてもしくはいくつかは、ソフトウェア製品の形態で実装され得る。そのソフトウェア製品は、ストレージメディアに格納され、本出願の実施形態において記述されている方法のステップのうちのすべてまたはいくつかを実行するようにコンピュータデバイス（これは、パーソナルコンピュータ、サーバ、またはネットワークデバイスであり得る）に指示するためのいくつかの命令を含む。前述のストレージメディアは、ＵＳＢフラッシュドライブ、取り外し可能なハードディスク、読み取り専用メモリ（ｒｅａｄ−ｏｎｌｙ  ｍｅｍｏｒｙ、ＲＯＭ）、ランダムアクセスメモリ（ｒａｎｄｏｍ  ａｃｃｅｓｓ  ｍｅｍｏｒｙ、ＲＡＭ）、磁気ディスク、または光ディスクなど、プログラムコードを格納することが可能である任意のメディアを含む。
【０１２９】
前述の実施形態は、本出願の技術的なソリューションについて記述することを意図されているにすぎず、本出願を限定することを意図されているものではない。前述の実施形態を参照しながら本出願が詳細に記述されているが、当業者なら、それでもなお、本出願の実施形態の技術的なソリューションの趣旨および範囲から逸脱することなく、前述の実施形態において記述されている技術的なソリューションに対する修正形態を作成し得る、またはそれらのいくつかの技術的な特徴に対する均等な代替形態を作成し得るということを理解するはずである。
【図１】
2021502761.tif 000004
【図２】
2021502761.tif 000005
【図３】
2021502761.tif 000006
【図４】
2021502761.tif 000007
【図５】
2021502761.tif 000008
【図６】
2021502761.tif 000009
【図７】
2021502761.tif 000010
【図８】
2021502761.tif 000011
【図９】
2021502761.tif 000012
【図１０】
2021502761.tif 000013
【図１１】
2021502761.tif 000014
【図１２】
2021502761.tif 000015
【図１３】
2021502761.tif 000016
【手続補正書】
【提出日】令和2年6月10日(2020.6.10)
【手続補正１】
【補正対象書類名】特許請求の範囲
【補正対象項目名】全文
【補正方法】変更
【補正の内容】
【特許請求の範囲】
【請求項１】
リモートラジオユニット（ＲＲＵ）測位方法であって、
第１のＲＲＵによって、第２のＲＲＵから第１の参照信号を受信するステップであって、前記第１のＲＲＵは、測位対象ＲＲＵであり、前記第２のＲＲＵは、既知のロケーションにおけるＲＲＵである、ステップと、
前記第１のＲＲＵによって、前記第１の参照信号に基づいて第１の遅延値を決定するステップと、
前記第１のＲＲＵによって、前記第１の遅延値を上位レイヤネットワーク要素に報告し、それによって前記上位レイヤネットワーク要素は、前記第１の遅延値はロケーション解決処理のために使用され、かつ、前記第１のＲＲＵのロケーション情報を入手するステップとを含むリモートラジオユニットＲＲＵ測位方法。
【請求項２】
第１のＲＲＵによって、第２のＲＲＵから第１の参照信号を受信する前記ステップの前に、
前記第１のＲＲＵによって、ガードピリオドＧＰにおいて第２の参照信号を前記第２のＲＲＵへ送信し、それによって前記第２のＲＲＵは、前記第２の参照信号に基づいて第２の遅延値を計算し、前記第２の遅延値を前記第１の参照信号に付加するステップをさらに含む請求項１に記載の方法。
【請求項３】
前記第１のＲＲＵによって、前記第１の参照信号に基づいて第１の遅延値を決定する前記ステップは、
前記第１のＲＲＵによって、前記第１の参照信号に基づいて第３の遅延値を計算するステップと、
前記第１のＲＲＵによって、前記第２の遅延値および前記第３の遅延値に基づいて前記第１の遅延値を計算するステップとを含む請求項２に記載の方法。
【請求項４】
前記第１のＲＲＵによって、前記第２の遅延値および前記第３の遅延値に基づいて前記第１の遅延値を計算する前記ステップは、
Ａ＝（Ｂ＋Ｃ）／２
という様式で前記第１の遅延値を計算するステップを含み、
Ａは、前記第１の遅延値であり、
Ｂは、前記第２の遅延値であり、
Ｃは、前記第３の遅延値である請求項３に記載の方法。
【請求項５】
第１のＲＲＵによって、第２のＲＲＵから第１の参照信号を受信する前記ステップの後に、
前記第１のＲＲＵによって、前記第１の参照信号に基づいて方位角を計算するステップと、
前記第１のＲＲＵによって、前記方位角を前記上位レイヤネットワーク要素に報告し、それによって前記上位レイヤネットワーク要素は、前記第１の遅延値および前記方位角に基づいてロケーション解決処理を実行して、前記第１のＲＲＵの前記ロケーション情報を入手するステップとをさらに含む請求項１に記載の方法。
【請求項６】
第１のＲＲＵによって、第２のＲＲＵから第１の参照信号を受信する前記ステップの前に、
前記第１のＲＲＵによって、フレームオフセット命令を受信するステップであって、前記フレームオフセット命令は、前記第２のＲＲＵのダウンリンクウィンドウに対応するように前記第１のＲＲＵのアップリンクウィンドウに指示する、ステップをさらに含む請求項１に記載の方法。
【請求項７】
前記第１の参照信号は、特徴シーケンス信号、プライマリー同期信号（ＰＳＳ）、セカンダリー同期信号（ＳＳＳ）、セル固有参照信号（ＣＲＳ）、および／または測位パイロット信号を含む請求項１乃至６のいずれか一項に記載の方法。
【請求項８】
リモートラジオユニット（ＲＲＵ）測位方法であって、
第２のＲＲＵによって、第１のＲＲＵから第２の参照信号を受信するステップであって、前記第１のＲＲＵは、測位対象ＲＲＵであり、前記第２のＲＲＵは、既知のロケーションにおけるＲＲＵである、ステップと、
前記第２のＲＲＵによって、前記第２の参照信号に基づいてシーケンス検知強度および第２の遅延値を計算するステップと、
前記第２のＲＲＵによって、第１の参照信号を前記第１のＲＲＵへ送信するために、前記検知強度がしきい値よりも大きいセルを選択するステップであって、前記第１の参照信号は、前記第２の遅延値を搬送し、前記第１の参照信号は、第１の遅延値を決定するために使用される、ステップとを含むリモートラジオユニット（ＲＲＵ）測位方法。
【請求項９】
第２のＲＲＵによって、第１のＲＲＵから第２の参照信号を受信する前記ステップの後に、
前記第２のＲＲＵによって、前記第２の参照信号に基づいて方位角を計算するステップをさらに含む請求項８に記載の方法。
【請求項１０】
第２のＲＲＵによって、第１のＲＲＵから第２の参照信号を受信する前記ステップの前に、
前記第２のＲＲＵによって、検知命令を受信するステップであって、前記検知命令は、前記第１のＲＲＵまたは上位レイヤネットワーク要素からのものであり、前記検知命令は、信号検知に備えるように前記第２のＲＲＵに指示するために使用される、ステップをさらに含む請求項８または９に記載の方法。
【請求項１１】
リモートラジオユニット（ＲＲＵ）測位方法であって、
上位レイヤネットワーク要素によって、第１のＲＲＵから第１の遅延値を受信するステップであって、前記第１のＲＲＵは、測位対象ＲＲＵである、ステップと、
前記上位レイヤネットワーク要素によって、前記第１の遅延値に基づいてロケーション解決処理を実行して、前記第１のＲＲＵのロケーション情報を入手するステップとを含むリモートラジオユニット（ＲＲＵ）測位方法。
【請求項１２】
前記上位レイヤネットワーク要素によって、前記第１の遅延値に基づいてロケーション解決処理を実行する前記ステップの前に、
前記上位レイヤネットワーク要素によって、前記第１のＲＲＵから方位角を受信するステップをさらに含む請求項１１に記載の方法。
【請求項１３】
前記上位レイヤネットワーク要素によって、前記第１の遅延値に基づいてロケーション解決処理を実行する前記ステップは、
前記上位レイヤネットワーク要素によって、前記第１の遅延値および前記方位角に基づいてロケーション解決処理を実行するステップを含む請求項１２に記載の方法。
【請求項１４】
上位レイヤネットワーク要素によって、第１のＲＲＵから第１の遅延値を受信する前記ステップの前に、
前記上位レイヤネットワーク要素によって、フレームオフセット命令を前記第１のＲＲＵへ送信するステップであって、前記フレームオフセット命令は、第２のＲＲＵのダウンリンクウィンドウに対応するように前記第１のＲＲＵのアップリンクウィンドウに指示し、前記第２のＲＲＵは、既知のロケーションにおけるＲＲＵである、ステップをさらに含む請求項１１乃至１３のいずれか一項に記載の方法。
【請求項１５】
少なくとも１つのプロセッサと、コンピュータ命令を記憶するメモリと備える装置であって、
前記コンピュータ命令は、前記少なくとも１つのプロセッサによって実行されると、請求項１乃至７のいずれか一項に記載の方法を前記装置に実行させる、装置。
【請求項１６】
少なくとも１つのプロセッサと、コンピュータ命令を記憶するメモリと装置であって、
前記コンピュータ命令は、前記少なくとも１つのプロセッサによって実行されると、請求項８乃至１０のいずれか一項に記載の方法を前記装置に実行させる、装置。
【請求項１７】
少なくとも１つのプロセッサと、コンピュータ命令を記憶するメモリと装置であって、
前記コンピュータ命令は、前記少なくとも１つのプロセッサによって実行されると、請求項１１乃至１４のいずれか一項に記載の方法を前記装置に実行させる、装置。
【請求項１８】
命令を含むコンピュータ可読ストレージメディアであって、前記命令がコンピュータ上で実行されたときに、前記コンピュータは、請求項１乃至１４のいずれか一項に記載の方法を実行することを可能にされる、コンピュータ可読ストレージメディア。
【手続補正２】
【補正対象書類名】明細書
【補正対象項目名】全文
【補正方法】変更
【補正の内容】
【発明の詳細な説明】
【技術分野】
【０００１】
本出願は、通信分野に関し、詳細には、ＲＲＵ測位方法およびその装置に関する。
【背景技術】
【０００２】
本出願は、その全体が参照によって本明細書に組み込まれている、２０１７年１１月１０日に中国国家知識産権局に出願された「ＲＲＵ  ＰＯＳＩＴＩＯＮＩＮＧ  ＭＥＴＨＯＤ  ＡＮＤ  ＲＥＬＡＴＥＤ  ＡＰＰＡＲＡＴＵＳ  ＴＨＥＲＥＯＦ」と題されている中国特許出願第２０１７１１１１２９８４．２号の優先権を主張するものである。
【０００３】
ワイヤレス通信ネットワークにおいては、展開されているサイトの経度および緯度の情報が記録される必要がある。従来のマクロ基地局に関しては、リモートラジオユニット（ｒｅｍｏｔｅ  ｒａｄｉｏ  ｕｎｉｔ、ＲＲＵ）およびベースバンド制御ユニット（ｂａｓｅｂａｎｄ  ｃｏｎｔｒｏｌ  ｕｎｉｔ、ＢＢＵ）が通常、非常に近いロケーションに展開されており、グローバルポジショニングシステム（ｇｌｏｂａｌ  ｐｏｓｉｔｉｏｎｉｎｇ  ｓｙｓｔｅｍ、ＧＰＳ）装置が、経度および緯度の情報を記録するためにＢＢＵ上に展開されており、その情報は、ネットワーク管理システムに自動的にアップロードされる。
【０００４】
ＲＲＵのロケーション情報を入手するために、従来技術におけるＲＲＵにおいてはＧＰＳモジュールも内蔵されている。しかしながら、ＧＰＳ信号は弱く、ＲＲＵの伝送電力は高いので、ロケーション情報の入手に対して干渉が引き起こされ、ＧＰＳ受信感度が影響される。したがって、従来技術におけるＲＲＵにおいては外部アンテナがさらに付加される。結果として、ＲＲＵ測位のコストは高い。
【発明の概要】
【０００５】
本出願の実施形態は、ＲＲＵの外部および内部の測位デバイスを付加することなく既存のネットワーク要素デバイスを使用することによってＲＲＵを測位するためのＲＲＵ測位方法およびその関連した装置を提供し、それによってＲＲＵ測位コストを低減する。
【０００６】
本出願の実施形態の第１の態様は、ＲＲＵ測位方法を提供する。この方法は、具体的には、第１のＲＲＵによって、第２のＲＲＵによって送信された第１の参照信号を受信するステップであって、第１のＲＲＵは、測位対象ＲＲＵであり、第２のＲＲＵは、既知のロケーションにおけるＲＲＵである、ステップと、次いで第１のＲＲＵによって、第１の参照信号に基づいて第１の遅延値を決定するステップと、最後に第１のＲＲＵによって、第１の遅延値を上位レイヤネットワーク要素に報告し、それによって上位レイヤネットワーク要素は、第１の遅延値に基づいてロケーション解決処理を実行して、第１のＲＲＵのロケーション情報を入手するステップとを含む。本出願のこの実施形態は、ＲＲＵの外部および内部の測位デバイスを付加することなく既存のネットワーク要素デバイスを使用することによってＲＲＵを測位することが可能であり、それによってＲＲＵ測位コストを低減する。
【０００７】
可能な設計において、本出願の実施形態の第１の態様の第１の実装においては、第１のＲＲＵによって、第２のＲＲＵによって送信された参照信号を受信するステップの前に、この方法は、第１のＲＲＵによって、ガードピリオドＧＰにおいて第２の参照信号を第２のＲＲＵへ送信し、それによって第２のＲＲＵは、第２の参照信号に基づいて第２の遅延値を計算し、第２の遅延値を第１の参照信号に付加するステップをさらに含む。この実施形態においては、第２のＲＲＵによって送信された参照信号を受信するステップに加えて、第１のＲＲＵは、参照信号を第２のＲＲＵへさらに送信し、それによって、その後に計算される遅延はより正確である。
【０００８】
可能な設計において、本出願の実施形態の第１の態様の第２の実装においては、第１のＲＲＵによって、第１の参照信号に基づいて第１の遅延値を決定するステップは、第１のＲＲＵによって、第１の参照信号に基づいて第３の遅延値を計算するステップと、次いで第２の遅延値および第３の遅延値に基づいて第１の遅延値を計算するステップとを含む。この実施形態においては、実際の遅延値が、第３の遅延値および第２の遅延値を参照して計算され、それによって、計算はより正確である。
【０００９】
可能な設計において、本出願の実施形態の第１の態様の第３の実装においては、第１のＲＲＵによって、第２の遅延値および第３の遅延値に基づいて第１の遅延値を計算するステップは、Ａ＝（Ｂ＋Ｃ）／２という様式で第１の遅延値を計算するステップを含み、Ａは、第１の遅延値であり、Ｂは、第２の遅延値であり、Ｃは、第３の遅延値である。この実施形態は、第１の遅延値を計算する具体的な様式を提供し、計算は、実施するのに簡単および容易である。
【００１０】
可能な設計において、本出願の実施形態の第１の態様の第４の実装においては、第１のＲＲＵによって、第２のＲＲＵによって送信された第１の参照信号を受信するステップの後に、この方法は、第１のＲＲＵによって、第１の参照信号に基づいて方位角を計算するステップと、第１のＲＲＵによって、方位角を上位レイヤネットワーク要素に報告し、それによって上位レイヤネットワーク要素は、第１の遅延値および方位角に基づいてロケーション解決処理を実行して、第１のＲＲＵのロケーション情報を入手するステップとをさらに含む。本出願のこの実施形態においては、第１のＲＲＵの位置情報が、方位角を参照してさらに計算され、それによって、計算はより正確である。
【００１１】
可能な設計において、本出願の実施形態の第１の態様の第５の実装においては、第１のＲＲＵによって、第２のＲＲＵによって送信された第１の参照信号を受信するステップの前に、この方法は、第１のＲＲＵによって、測位を開始した後にフレームオフセット命令を受信するステップであって、フレームオフセット命令は次いで、第２のＲＲＵのダウンリンクウィンドウに対応するように第１のＲＲＵのアップリンクウィンドウに指示する、ステップをさらに含む。本出願のこの実施形態においては、フレームオフセットが第２のＲＲＵ上で実行され、それによって特定の実装を強化する。
【００１２】
可能な設計において、本出願の実施形態の第１の態様の第６の実装においては、第１の参照信号は、特徴シーケンス信号、プライマリー同期信号ＰＳＳ、セカンダリー同期信号ＳＳＳ、セル固有参照信号ＣＲＳ、および／または測位パイロット信号を含む。本出願のこの実施形態においては、第１の参照信号のタイプが記述され、それによって、この実施形態の実施可能性を改善する。
【００１３】
本出願の実施形態の第２の態様は、ＲＲＵ測位方法を提供する。この方法は、具体的には、第２のＲＲＵによって、第１のＲＲＵによって送信された第２の参照信号を受信するステップであって、第１のＲＲＵは、測位対象ＲＲＵであり、第２のＲＲＵは、既知のロケーションにおけるＲＲＵである、ステップと、次いで第２のＲＲＵによって、第２の参照信号に基づいてシーケンス検知強度および第２の遅延値を計算するステップと、最後に第２のＲＲＵによって、第１の参照信号を第１のＲＲＵへ送信するために、検知強度がしきい値よりも大きいセルを選択するステップであって、第１の参照信号は、第２の遅延値を搬送し、それによって第１のＲＲＵは、第１の参照信号に基づいて第１の遅延値を決定し、第１の遅延値を上位レイヤネットワーク要素に報告し、上位レイヤネットワーク要素は、第１の遅延値に基づいてロケーション解決処理を実行して、第１のＲＲＵのロケーション情報を入手する、ステップとを含む。本出願のこの実施形態は、ＲＲＵの外部および内部の測位デバイスを付加することなく既存のネットワーク要素デバイスを使用することによってＲＲＵを測位することが可能であり、それによってＲＲＵ測位コストを低減する。
【００１４】
可能な設計において、本出願の実施形態の第２の態様の第１の実装においては、第２のＲＲＵによって、第１のＲＲＵによって送信された第２の参照信号を受信するステップの後に、この方法は、第２のＲＲＵによって、第２の参照信号に基づいて方位角を計算するステップをさらに含む。この実施形態においては、第２のＲＲＵは、方位角をさらに計算し得、それによって、この実施形態のインテグリティーを改善する。
【００１５】
可能な設計において、本出願の実施形態の第２の態様の第２の実装においては、第２のＲＲＵによって、第１のＲＲＵによって送信された第２の参照信号を受信するステップの前に、この方法は、第２のＲＲＵによって、検知命令を受信するステップであって、検知命令は、第１のＲＲＵまたは上位レイヤネットワーク要素によって送信され、検知命令は、信号検知に備えるように第２のＲＲＵに指示するために使用される、ステップをさらに含む。本出願においては、第２のＲＲＵは、検知命令を受信した後にのみ、シーケンス検知を実行することに備え、それによってリソースを節約する。
【００１６】
本出願の実施形態の第３の態様は、ＲＲＵ測位方法を提供する。この方法は、具体的には、上位レイヤネットワーク要素によって、第１のＲＲＵによって送信された第１の遅延値を受信するステップであって、第１のＲＲＵは、測位対象ＲＲＵである、ステップと、上位レイヤネットワーク要素によって、第１の遅延値に基づいてロケーション解決処理を実行して、第１のＲＲＵのロケーション情報を入手するステップとを含む。本出願のこの実施形態は、ＲＲＵの外部および内部の測位デバイスを付加することなく既存のネットワーク要素デバイスを使用することによってＲＲＵを測位することが可能であり、それによってＲＲＵ測位コストを低減する。
【００１７】
可能な設計において、本出願の実施形態の第３の態様の第１の実装においては、上位レイヤネットワーク要素によって、第１の遅延値に基づいてロケーション解決処理を実行するステップの前に、この方法は、上位レイヤネットワーク要素によって、第１のＲＲＵによって送信された方位角を受信するステップをさらに含む。この実施形態においては、上位レイヤネットワーク要素は、方位角をさらに受信し、それによって、その後の計算はより正確である。
【００１８】
可能な設計において、本出願の実施形態の第３の態様の第２の実装においては、上位レイヤネットワーク要素によって、第１の遅延値に基づいてロケーション解決処理を実行するステップは、上位レイヤネットワーク要素によって、第１の遅延値および方位角に基づいてロケーション解決処理を実行するステップを含む。この実施形態においては、遅延値および方位角を使用することによってロケーション解決処理が実行され、それによって、計算はより正確である。
【００１９】
可能な設計において、本出願の実施形態の第３の態様の第３の実装においては、上位レイヤネットワーク要素によって、第１のＲＲＵによって送信された第１の遅延値を受信するステップの前に、この方法は、上位レイヤネットワーク要素によって、フレームオフセット命令を第１のＲＲＵへ送信するステップであって、フレームオフセット命令は、第２のＲＲＵのダウンリンクウィンドウに対応するように第１のＲＲＵのアップリンクウィンドウに指示し、第２のＲＲＵは、既知のロケーションにおけるＲＲＵである、ステップをさらに含む。この実施形態においては、この実施形態のインテグリティーが改善される。
【００２０】
本出願の実施形態の第４の態様は、第１のＲＲＵを提供する。第１のＲＲＵは、具体的には、
第２のＲＲＵによって送信された第１の参照信号を受信するように構成されている第１の受信ユニットであって、第１のＲＲＵは、測位対象ＲＲＵであり、第２のＲＲＵは、既知のロケーションにおけるＲＲＵである、第１の受信ユニットと、
第１の参照信号に基づいて第１の遅延値を決定するように構成されている決定ユニットと、
第１の遅延値を上位レイヤネットワーク要素に報告するように構成されている報告ユニットであって、それによって上位レイヤネットワーク要素は、第１の遅延値に基づいてロケーション解決処理を実行して、第１のＲＲＵのロケーション情報を入手する、第１の報告ユニットとを含む。
【００２１】
本出願のこの実施形態は、ＲＲＵの外部および内部の測位デバイスを付加することなく既存のネットワーク要素デバイスを使用することによってＲＲＵを測位することが可能であり、それによってＲＲＵ測位コストを低減する。
【００２２】
可能な設計において、本出願の実施形態の第４の態様の第１の実装においては、第１のＲＲＵは、
ガードピリオドＧＰにおいて第２の参照信号を第２のＲＲＵへ送信するように構成されている送信ユニットであって、それによって第２のＲＲＵは、第２の参照信号に基づいて第２の遅延値を計算し、第２の遅延値を第１の参照信号に付加する、送信ユニットをさらに含む。この実施形態においては、第２のＲＲＵによって送信された参照信号を受信することに加えて、第１のＲＲＵは、参照信号を第２のＲＲＵへさらに送信し、それによって、その後に計算される遅延はより正確である。
【００２３】
可能な設計において、本出願の実施形態の第４の態様の第２の実装においては、決定ユニットは、
第１の参照信号に基づいて第３の遅延値を計算するように構成されている第１の計算サブユニットと、
第２の遅延値および第３の遅延値に基づいて第１の遅延値を計算するように構成されている第２の決定サブユニットとを含む。
【００２４】
この実施形態においては、実際の遅延値が、第３の遅延値および第２の遅延値を参照して計算され、それによって、計算はより正確である。
【００２５】
可能な設計において、本出願の実施形態の第４の態様の第３の実装においては、第２の決定サブユニットは、
Ａ＝（Ｂ＋Ｃ）／２
という様式で第１の遅延値を計算するように構成されている計算サブモジュールを含み、
【００２６】
Ａは、第１の遅延値であり、
【００２７】
Ｂは、第２の遅延値であり、
【００２８】
Ｃは、第３の遅延値である。
【００２９】
この実施形態は、第１の遅延値を計算する具体的な様式を提供し、計算は、実施するのに簡単および容易である。
【００３０】
可能な設計において、本出願の実施形態の第４の態様の第４の実装においては、第１のＲＲＵは、
第１の参照信号に基づいて方位角を計算するように構成されている計算ユニットと、
方位角を上位レイヤネットワーク要素に報告するように構成されている第２の報告ユニットであって、それによって上位レイヤネットワーク要素は、第１の遅延値および方位角に基づいてロケーション解決処理を実行して、第１のＲＲＵのロケーション情報を入手する、第２の報告ユニットとをさらに含む。
【００３１】
本出願のこの実施形態においては、第１のＲＲＵの位置情報が、方位角を参照してさらに計算され、それによって、計算はより正確である。
【００３２】
可能な設計において、本出願の実施形態の第４の態様の第５の実装においては、第１のＲＲＵは、
フレームオフセット命令を受信するように構成されている第２の受信ユニットであって、フレームオフセット命令は、第２のＲＲＵのダウンリンクウィンドウに対応するように第１のＲＲＵのアップリンクウィンドウに指示する、第２の受信ユニットをさらに含む。
【００３３】
本出願のこの実施形態においては、フレームオフセットが第２のＲＲＵ上で実行され、それによって特定の実装を強化する。
【００３４】
可能な設計において、本出願の実施形態の第４の態様の第６の実装においては、第１の参照信号は、特徴シーケンス信号、プライマリー同期信号ＰＳＳ、セカンダリー同期信号ＳＳＳ、セル固有参照信号ＣＲＳ、および／または測位パイロット信号を含む。本出願のこの実施形態においては、第１の参照信号のタイプが記述され、それによって、この実施形態の実施可能性を改善する。
【００３５】
本出願の実施形態の第５の態様は、第２のＲＲＵを提供する。第２のＲＲＵは、具体的には、
第１のＲＲＵによって送信された第２の参照信号を受信するように構成されている第１の受信ユニットであって、第１のＲＲＵは、測位対象ＲＲＵであり、第２のＲＲＵは、既知のロケーションにおけるＲＲＵである、第１の受信ユニットと、
第２の参照信号に基づいてシーケンス検知強度および第２の遅延値を計算するように構成されている第１の計算ユニットと、
第１の参照信号を第１のＲＲＵへ送信するために、検知強度がしきい値よりも大きいセルを選択するように構成されている送信ユニットであって、第１の参照信号は、第２の遅延値を搬送し、それによって第１のＲＲＵは、第１の参照信号に基づいて第１の遅延値を決定し、第１の遅延値を上位レイヤネットワーク要素に報告し、上位レイヤネットワーク要素は、第１の遅延値に基づいてロケーション解決処理を実行して、第１のＲＲＵのロケーション情報を入手する、送信ユニットとを含む。
【００３６】
本出願のこの実施形態は、ＲＲＵの外部および内部の測位デバイスを付加することなく既存のネットワーク要素デバイスを使用することによってＲＲＵを測位することが可能であり、それによってＲＲＵ測位コストを低減する。
【００３７】
可能な設計において、本出願の実施形態の第５の態様の第１の実装においては、第２のＲＲＵは、
第２の参照信号に基づいて方位角を計算するように構成されている第２の計算ユニットをさらに含む。
【００３８】
この実施形態においては、第２のＲＲＵは、方位角をさらに計算し得、それによって、この実施形態のインテグリティーを改善する。
【００３９】
可能な設計において、本出願の実施形態の第５の態様の第２の実装においては、第２のＲＲＵは、
検知命令を受信するように構成されている第２の受信ユニットであって、検知命令は、第１のＲＲＵまたは上位レイヤネットワーク要素によって送信され、検知命令は、信号検知に備えるように第２のＲＲＵに指示するために使用される、第２の受信ユニットをさらに含む。
【００４０】
本出願においては、第２のＲＲＵは、検知命令を受信した後にのみ、シーケンス検知を実行することに備え、それによってリソースを節約する。
【００４１】
本出願の実施形態の第６の態様は、上位レイヤネットワーク要素を提供する。上位レイヤネットワーク要素は、具体的には、
第１のＲＲＵによって送信された第１の遅延値を受信するように構成されている第１の受信ユニットであって、第１のＲＲＵは、測位対象ＲＲＵである、第１の受信ユニットと、
第１の遅延値に基づいてロケーション解決処理を実行して、第１のＲＲＵのロケーション情報を入手するように構成されている処理ユニットとを含む。
【００４２】
本出願のこの実施形態は、ＲＲＵの外部および内部の測位デバイスを付加することなく既存のネットワーク要素デバイスを使用することによってＲＲＵを測位することが可能であり、それによってＲＲＵ測位コストを低減する。
【００４３】
可能な設計において、本出願の実施形態の第６の態様の第１の実装においては、上位レイヤネットワーク要素は、
第１のＲＲＵによって送信された方位角を受信するように構成されている第２の受信ユニットをさらに含む。
【００４４】
この実施形態においては、上位レイヤネットワーク要素は、方位角をさらに受信し、それによって、その後の計算はより正確である。
【００４５】
可能な設計において、本出願の実施形態の第６の態様の第２の実装においては、処理ユニットは、
第１の遅延値および方位角に基づいてロケーション解決処理を実行するように構成されている処理サブユニットを含む。
【００４６】
この実施形態においては、遅延値および方位角を使用することによってロケーション解決処理が実行され、それによって、計算はより正確である。
【００４７】
可能な設計において、本出願の実施形態の第６の態様の第３の実装においては、上位レイヤネットワーク要素は、
フレームオフセット命令を第１のＲＲＵへ送信するように構成されている送信ユニットであって、フレームオフセット命令は、第２のＲＲＵのダウンリンクウィンドウに対応するように第１のＲＲＵのアップリンクウィンドウに指示し、第２のＲＲＵは、既知のロケーションにおけるＲＲＵである、送信ユニットをさらに含む。
【００４８】
この実施形態においては、この実施形態のインテグリティーが改善される。
【００４９】
本出願の別の態様は、コンピュータ可読ストレージメディアを提供する。このコンピュータ可読ストレージメディアは、命令を格納している。その命令がコンピュータ上で実行されたときに、コンピュータは、前述の態様による方法を実行することを可能にされる。
【００５０】
本出願の別の態様は、命令を含むコンピュータプログラム製品を提供し、そのコンピュータプログラム製品がコンピュータ上で実行されたときに、コンピュータは、前述の態様による方法を実行することを可能にされる。
【００５１】
前述の技術的なソリューションによれば、本出願の実施形態は、下記の利点を有する。
【００５２】
本出願の実施形態においては、第１のＲＲＵは、第２のＲＲＵによって送信された第１の参照信号を受信し、第１のＲＲＵは、測位対象ＲＲＵであり、第２のＲＲＵは、既知のロケーションにおけるＲＲＵであり、第１のＲＲＵは、第１の参照信号に基づいて第１の遅延値を決定し、第１のＲＲＵは、第１の遅延値を上位レイヤネットワーク要素に報告し、それによって上位レイヤネットワーク要素は、第１の遅延値に基づいてロケーション解決処理を実行して、第１のＲＲＵのロケーション情報を入手する。本出願の実施形態は、ＲＲＵの外部および内部の測位デバイスを付加することなく既存のネットワーク要素デバイスを使用することによってＲＲＵを測位することが可能であり、それによってＲＲＵ測位コストを低減する。
【図面の簡単な説明】
【００５３】
【図１】本出願の実施形態によるＲＲＵ測位方法のシステムアーキテクチャーの概略図である。
【図２】本出願の実施形態によるＲＲＵ測位方法のフレーム構造の概略図である。
【図３】本出願の実施形態によるＲＲＵ測位方法の実施形態の概略図である。
【図４】本出願の実施形態によるＲＲＵ測位方法の別の実施形態の概略図である。
【図５】本出願の実施形態による第１のＲＲＵの実施形態の概略図である。
【図６】本出願の実施形態による第１のＲＲＵの別の実施形態の概略図である。
【図７】本出願の実施形態による第２のＲＲＵの実施形態の概略図である。
【図８】本出願の実施形態による第２のＲＲＵの別の実施形態の概略図である。
【図９】本出願の実施形態による上位レイヤネットワーク要素の実施形態の概略図である。
【図１０】本出願の実施形態による上位レイヤネットワーク要素の別の実施形態の概略図である。
【図１１】本出願の実施形態による第１のＲＲＵの別の実施形態の概略図である。
【図１２】本出願の実施形態による第２のＲＲＵの別の実施形態の概略図である。
【図１３】本出願の実施形態による上位レイヤネットワーク要素の別の実施形態の概略図である。
【発明を実施するための形態】
【００５４】
本出願の実施形態は、ＲＲＵの外部および内部の測位デバイスを付加することなく既存のネットワーク要素デバイスを使用することによってＲＲＵを測位するためのＲＲＵ測位方法およびその関連した装置を提供し、それによってＲＲＵ測位コストを低減する。
【００５５】
本出願の明細書、特許請求の範囲、および添付の図面においては、「第１の」、「第２の」、「第３の」、「第４の」などの用語は（存在する場合には）、類似しているオブジェクトを区別することを意図されているが、必ずしも特定の順序またはシーケンスを示しているとは限らない。そのような方法で称されているデータは、適切な状況において交換可能であり、それによって、本明細書において記述されている実施形態は、本明細書において示されているまたは記述されている順序以外の順序で実施されることが可能であるということを理解されたい。その上、「ｉｎｃｌｕｄｅ（含む）」、「ｃｏｎｔａｉｎ（含む）」という用語、およびその他の任意の変形は、非排他的な包含をカバーすることを意図しており、たとえば、一連のステップまたはユニットを含むプロセス、方法、システム、製品、またはデバイスは、それらのユニットに必ずしも限定されず、明示的に列挙されてはいない、またはそのようなプロセス、方法、システム、製品、もしくはデバイスに固有のその他のユニットを含み得る。
【００５６】
本発明の実施形態は、図１において示されているシステムアーキテクチャーに適用され得る。このシステムアーキテクチャーにおいては、第１のＲＲＵおよび第２のＲＲＵが、互いにシーケンスを送信し、第１のＲＲＵおよび第２のＲＲＵが配置されているエボルブドＮｏｄｅＢ（ｅｖｏｌｖｅｄ  Ｎｏｄｅ  Ｂ、ｅＮＢ）が、遅延を計算し、第１のＲＲＵのロケーションを計算するために、計算された遅延を上位レイヤネットワーク要素に報告する。第１のＲＲＵは、測位対象ＲＲＵであり、第２のＲＲＵは、第１のＲＲＵを測位する際に支援するＲＲＵであり、第２のＲＲＵは、既知のロケーションにおけるＲＲＵである。このシステムにおけるＲＲＵは、時分割複信（ｔｉｍｅ  ｄｉｖｉｓｉｏｎ  ｄｕｐｌｅｘ、ＴＤＤ）標準におけるＲＲＵである。
【００５７】
図２は、ＴＤＤロングタームエボリューション（ｌｏｎｇ  ｔｅｒｍ  ｅｖｏｌｕｔｉｏｎ、ＬＴＥ）構成２のフレーム構造を示している。ｅＮＢに関しては、Ｕサブフレームが、アップリンクデータを受信するためにのみ使用され、Ｄサブフレームが、ダウンリンクデータを伝送するためにのみ使用され、通常は、ガードピリオド（Ｇｕａｒｄ  Ｐｅｒｉｏｄ、ＧＰ）においては、データは送信または受信されないが、データは、それでもなお特徴機能に関しては送信および受信され得る。本出願の実施形態においては、ＴＤＤフレーム構造の特徴に基づいて、ＲＲＵが、ＧＰにおいてシーケンスを送信もしくは受信するために、または適切なフレームオフセットを使用することによって、ユーザ機器（ｕｓｅｒ  ｅｑｕｉｐｍｅｎｔ、ＵＥ）としてシミュレートされ得、着信遅延および／もしくは方位角を検知し得、測位計算を実行するために検知結果を上位レイヤネットワーク要素に報告し得る。
【００５８】
図３を参照すると、本発明の実施形態によるＲＲＵ測位方法の実施形態が、下記のステップを含む。
【００５９】
３０１．  第１のＲＲＵが、検知命令を第２のＲＲＵへ送信する。
【００６０】
この実施形態においては、第１のＲＲＵは、測位を開始した後に検知命令を第２のＲＲＵへ送信し、検知命令は、シーケンス検知に備えるように第２のＲＲＵに指示するために使用される。具体的には、第１のＲＲＵが配置されているｅＮＢが、シーケンス検知に備えるように周囲のセルに指示する。第１のＲＲＵは、測位対象ＲＲＵであり、第２のＲＲＵは、既知のロケーションにおけるＲＲＵである。
【００６１】
検知命令は、代替として、上位レイヤネットワーク要素によって第２のＲＲＵへ送信され得るということに留意されたい。本明細書では、具体的な送信方法は限定されない。
【００６２】
３０２．  第１のＲＲＵは、ＧＰにおいて第２の参照信号を第２のＲＲＵへ送信する。
【００６３】
この実施形態においては、第１のＲＲＵが測位を開始し、第２のＲＲＵがシーケンス検知に備えた後に、第１のＲＲＵによって、ＧＰにおいて第２の参照信号を第２のＲＲＵへ送信することは、具体的には、第１のＲＲＵによって、ＧＰにおいて特徴シーケンス信号を周囲のセルへ送信することであり得る。
【００６４】
特徴シーケンス信号は、比較的良好な自己相関を伴うシーケンス、たとえば、ＺＣシーケンスまたは疑似ランダムシーケンスとして設計され得、そのシーケンスは、すべてのセルに知られているシーケンスであるということに留意されたい。
【００６５】
３０３．  第２のＲＲＵは、第２の参照信号に基づいてシーケンス検知強度および第２の遅延値を計算する。
【００６６】
この実施形態においては、第２のＲＲＵによって、ＧＰにおいて受信された第２の参照信号に基づいてシーケンス検知強度および第２の遅延値を計算することは、具体的には、第１のＲＲＵの周囲のセルによって、事前に格納されている既知のシーケンスおよび受信された信号を使用することによって関連したオペレーションを実行して、シーケンス検知強度、第２の遅延値、および方位角を入手することであり得る。第２のＲＲＵは方位角を計算しなくてよいということに留意されたい。ここでは、これは特に限定されない。
【００６７】
第２の遅延値を計算する様式は、下記の通りであり得る。
送信シーケンス（第２のＲＲＵに事前に格納されているシーケンス）がｘ（ｎ）であり、ｎ＝０，１，．．．，Ｎであり、
受信された信号（第２のＲＲＵによって受信されたシーケンス）がｙ（ｐ）であり、ｐ＝０，１，．．．，Ｐであり、Ｐ≧Ｎであり、
検知された信号が、
【００６８】
【数１】
2021502761.tif 000017
【００６９】
であり、
【００７０】
ｒ（ｉ）の振幅がシーケンス検知強度であり、そのシーケンス検知強度内にあって、かつしきい値よりも大きい第１のシーケンス番号ｉに対応するサンプリング時間が、第２の遅延値である。
【００７１】
第２のＲＲＵは、代替として、第２の参照信号に基づいて方位角を計算し得るということに留意されたい。
【００７２】
３０４．  第２のＲＲＵは、第１の参照信号を第１のＲＲＵへ送信するために、検知強度がしきい値よりも大きいセルを選択する。
【００７３】
この実施形態においては、第２のＲＲＵは、ＧＰにおいて第１の参照信号を第１のＲＲＵへ送信するために、検知強度がしきい値よりも大きいセルを選択し、第１の参照信号は、第２の遅延値および／または方位角を搬送する。具体的には、しきい値よりも大きい検知強度を提供する周囲の基地局によってサービス提供されているセルが、シーケンスを送信する。
【００７４】
３０５．  第１のＲＲＵは、第１の参照信号に基づいて第３の遅延値を決定する。
【００７５】
この実施形態においては、第１のＲＲＵは、第１の参照信号に基づいてシーケンス検知を実行して、第３の遅延値を計算する。加えて、第１のＲＲＵは、第１の参照信号に基づいて方位角をさらに計算し得る。第１のＲＲＵは方位角を計算しなくてよいということに留意されたい。本明細書では、これは特に限定されない。
【００７６】
３０６．  第１のＲＲＵは、第２の遅延値および第３の遅延値に基づいて第１の遅延値を計算する。
【００７７】
この実施形態においては、測定された遅延値が、実際の遅延値＋ＲＲＵの送信フレームヘッダのエラー−ＲＲＵの受信フレームヘッダのエラーに等しいので、第２の遅延値は、実際の遅延値＋第１のＲＲＵのフレームヘッダエラー−第２のＲＲＵのフレームヘッダエラーに等しく、第３の遅延値は、実際の遅延値＋第２のＲＲＵのフレームヘッダエラー−第１のＲＲＵのフレームヘッダエラーに等しい。前述の２つの式が差し引かれて、実際の遅延値が（第２の遅延値＋第３の遅延値）／２に等しいということを入手する。
【００７８】
この実施形態においては、測位対象ＲＲＵおよび周囲の検知を行っているＲＲＵが、相互の伝送および受信を実行し、伝送および受信の相互のオペレーションを実行するＲＲＵの１つのペアの受信遅延が平均化されて、ＲＲＵ間の同期化エラーのインパクトをなくし、ＲＲＵ間の実際の遅延を正確に推定する。
【００７９】
この実施形態においては、第１の遅延値は実際の遅延値であるということに留意されたい。
【００８０】
３０７．  第１のＲＲＵは、第１の遅延値を上位レイヤネットワーク要素に報告する。
【００８１】
この実施形態においては、第１のＲＲＵは、計算された第１の遅延値を上位レイヤネットワーク要素に報告し、第１のＲＲＵまたは第２のＲＲＵは、方位角を上位レイヤネットワーク要素にさらに報告し得、それによって上位レイヤネットワーク要素は、第１の遅延値および／または方位角に基づいてロケーション解決を実行する。方位角が上位レイヤネットワーク要素に報告されない場合、第１のＲＲＵのロケーション情報を解決するためには、少なくとも３つの第２のＲＲＵ（３つの第１の遅延値）が必要とされるということに留意されたい。方位角が上位レイヤネットワーク要素に報告される場合には、第１のＲＲＵのロケーション情報は、１つまたは２つの第２のＲＲＵのみを使用することによって計算され得る。
【００８２】
３０８．  上位レイヤネットワーク要素は、第１の遅延値に基づいてロケーション解決処理を実行して、第１のＲＲＵのロケーション情報を入手する。
【００８３】
この実施形態においては、上位レイヤネットワーク要素は、第１の遅延値に基づいてロケーション解決処理を実行する。第１のＲＲＵまたは第２のＲＲＵが方位角を上位レイヤネットワーク要素に報告する場合には、上位レイヤネットワーク要素は、第１の遅延値および方位角に基づいてロケーション解決処理をさらに実行して、第１のＲＲＵのロケーション情報を入手する。
【００８４】
本出願のこの実施形態においては、第１のＲＲＵは、ＧＰにおいて第２のＲＲＵによって送信された第１の参照信号をＧＰにおいて受信し、第１のＲＲＵは、測位対象ＲＲＵであり、第２のＲＲＵは、既知のロケーションにおけるＲＲＵであり、次いで第１のＲＲＵは、第１の参照信号に基づいて第１の遅延値を決定し、第１のＲＲＵは、第１の遅延値を上位レイヤネットワーク要素に報告し、それによって上位レイヤネットワーク要素は、第１の遅延値に基づいてロケーション解決処理を実行して、第１のＲＲＵのロケーション情報を入手する。この実施形態においては、専用の測位シーケンスが、ＧＰにおいて送信および受信されるように設計されており、シーケンス受信信号強度およびＲＲＵ間の遅延が推定され、遅延ベースの測位が実行される。この方法においては、ＲＲＵの外部および内部の測位デバイスを付加することなく既存のネットワーク要素デバイスを使用することによってＲＲＵが測位されることが可能であり、それによってＲＲＵ測位コストを低減する。
【００８５】
図４を参照すると、本発明の実施形態によるＲＲＵ測位方法の別の実施形態が、下記のステップを含む。
【００８６】
４０１．  上位レイヤネットワーク要素が、フレームオフセット命令を第１のＲＲＵへ送信する。
【００８７】
この実施形態においては、測位が開始された後に、上位レイヤネットワーク要素は、フレームオフセット命令を第１のＲＲＵへ送信し、それによって、第１のＲＲＵのセルのアップリンク受信ウィンドウが、周囲のセル（第２のＲＲＵのセル）のダウンリンク伝送ウィンドウ内に収まり、第１のＲＲＵは、測位対象ＲＲＵであり、第２のＲＲＵは、既知のロケーションにおけるＲＲＵである。
【００８８】
４０２．  第１のＲＲＵは、第２のＲＲＵによって送信された第１の参照信号を受信する。
【００８９】
この実施形態においては、第１のＲＲＵによって、第２のＲＲＵによって送信された第１の参照信号を受信することは、具体的には、第１のＲＲＵによって、周囲の基地局の第１の参照信号を探すことであり得る。第１の参照信号は、プライマリー同期信号（ｐｒｉｍａｒｙ  ｓｙｎｃｈｒｏｎｉｚａｔｉｏｎ  ｓｉｇｎａｌ、ＰＳＳ）、セカンダリー同期信号（ｓｅｃｏｎｄａｒｙ  ｓｙｎｃｈｒｏｎｉｚａｔｉｏｎ  ｓｉｇｎａｌ、ＳＳＳ）、セル固有参照信号（ｃｅｌｌ−ｓｐｅｃｉｆｉｃ  ｒｅｆｅｒｅｎｃｅ  ｓｉｇｎａｌｓ、ＣＲＳ）、および／または測位パイロット信号を含む。
【００９０】
４０３．  第１のＲＲＵは、第１の参照信号に基づいて第１の遅延値を決定する。
【００９１】
この実施形態においては、第１のＲＲＵが第１の参照信号を受信した後に、第１のＲＲＵのセルは、第１の参照信号に基づいて遅延値を計算して、第１のＲＲＵと第２のＲＲＵとの間における遅延差を入手する、すなわち、第１の遅延値を入手する。
【００９２】
４０４．  第１のＲＲＵは、第１の遅延値を上位レイヤネットワーク要素に報告する。
【００９３】
この実施形態においては、計算を通じて第１の遅延値を入手した後に、第１のＲＲＵのセルは、第１の遅延値を上位レイヤネットワーク要素に報告し、それによって上位レイヤネットワーク要素は、第１の遅延値に基づいてロケーション解決を実行して、第１のＲＲＵのロケーション情報を入手し得る。
【００９４】
４０５．  上位レイヤネットワーク要素は、第１の遅延値に基づいてロケーション解決処理を実行して、第１のＲＲＵのロケーション情報を入手する。
【００９５】
この実施形態においては、第１の遅延値を受信した後に、上位レイヤネットワーク要素は、第１の遅延値に基づいてロケーション解決処理を実行して、第１のＲＲＵのロケーション情報を入手する。
【００９６】
本出願のこの実施形態においては、測位が開始された後に、上位レイヤネットワーク要素は、フレームオフセット命令を第１のＲＲＵへ送信し、それによって、第１のＲＲＵセルのアップリンク受信ウィンドウが、第２のＲＲＵセルのダウンリンク伝送ウィンドウ内に収まる。次いで第１のＲＲＵは、第２のＲＲＵの第１の参照信号を探し、第１の参照信号に基づいて第１の遅延値を計算する。加えて、第１の遅延値は、上位レイヤネットワーク要素に報告され、上位レイヤネットワーク要素は、第１の遅延値を使用することによってロケーション解決処理を実行して、第１のＲＲＵのロケーション情報を入手する。この方法においては、ＲＲＵの外部および内部の測位デバイスを付加することなく既存のネットワーク要素デバイスを使用することによってＲＲＵが測位されることが可能であり、それによってＲＲＵ測位コストを低減する。
【００９７】
図５を参照すると、本出願の実施形態における第１のＲＲＵの実施形態が、
第２のＲＲＵによって送信された第１の参照信号を受信するように構成されている第１の受信ユニット５０１であって、第１のＲＲＵは、測位対象ＲＲＵであり、第２のＲＲＵは、既知のロケーションにおけるＲＲＵである、第１の受信ユニット５０１と、
第１の参照信号に基づいて第１の遅延値を決定するように構成されている決定ユニット５０２と、
第１の遅延値を上位レイヤネットワーク要素に報告するように構成されている第１の報告ユニット５０３であって、それによって上位レイヤネットワーク要素は、第１の遅延値に基づいてロケーション解決処理を実行して、第１のＲＲＵのロケーション情報を入手する、第１の報告ユニット５０３とを含む。
【００９８】
本出願のこの実施形態においては、第１の受信ユニット５０１は、第２のＲＲＵによって送信された第１の参照信号を受信し、第１のＲＲＵは、測位対象ＲＲＵであり、第２のＲＲＵは、既知のロケーションにおけるＲＲＵであり、決定ユニット５０２は、第１の参照信号に基づいて第１の遅延値を決定し、第１の報告ユニット５０３は、第１の遅延値を上位レイヤネットワーク要素に報告し、それによって上位レイヤネットワーク要素は、第１の遅延値に基づいてロケーション解決処理を実行して、第１のＲＲＵのロケーション情報を入手する。本出願のこの実施形態は、ＲＲＵの外部および内部の測位デバイスを付加することなく既存のネットワーク要素デバイスを使用することによってＲＲＵを測位することが可能であり、それによってＲＲＵ測位コストを低減する。
【００９９】
図６を参照すると、本出願の実施形態における第１のＲＲＵの別の実施形態が、
フレームオフセット命令を受信するように構成されている第２の受信ユニット６０１であって、フレームオフセット命令は、第２のＲＲＵのダウンリンクウィンドウに対応するように第１のＲＲＵのアップリンクウィンドウに指示する、第２の受信ユニット６０１と、
ガードピリオドＧＰにおいて第２の参照信号を第２のＲＲＵへ送信するように構成されている送信ユニット６０２であって、それによって第２のＲＲＵは、第２の参照信号に基づいて第２の遅延値を計算し、第２の遅延値を第１の参照信号に付加する、送信ユニット６０２と、
第２のＲＲＵによって送信された第１の参照信号を受信するように構成されている第１の受信ユニット６０３であって、第１のＲＲＵは、測位対象ＲＲＵであり、第２のＲＲＵは、既知のロケーションにおけるＲＲＵである、第１の受信ユニット６０３と、
第１の参照信号に基づいて第１の遅延値を決定するように構成されている決定ユニット６０４であって、
第１の参照信号に基づいて第３の遅延値を計算するように構成されている第１の計算サブユニット６０４１と、
第２の遅延値および第３の遅延値に基づいて第１の遅延値を計算するように構成されている第２の決定サブユニット６０４２とを含み、
第２の決定サブユニット６０４２は、
Ａ＝（Ｂ＋Ｃ）／２
という様式で第１の遅延値を計算するように構成されている計算サブモジュールを含み、
Ａは、第１の遅延値であり、
Ｂは、第２の遅延値であり、
Ｃは、第３の遅延値である、
決定ユニット６０４と、
第１の参照信号に基づいて方位角を計算するように構成されている計算ユニット６０５と、
方位角を上位レイヤネットワーク要素に報告するように構成されている第２の報告ユニット６０６であって、それによって上位レイヤネットワーク要素は、第１の遅延値および方位角に基づいてロケーション解決処理を実行して、第１のＲＲＵのロケーション情報を入手する、第２の報告ユニット６０６と、
第１の遅延値を上位レイヤネットワーク要素に報告するように構成されている第１の報告ユニット６０７であって、それによって上位レイヤネットワーク要素は、第１の遅延値に基づいてロケーション解決処理を実行して、第１のＲＲＵのロケーション情報を入手する、第１の報告ユニット６０７とを含む。
【０１００】
本出願のこの実施形態においては、第１の受信ユニット６０３は、第２のＲＲＵによって送信された第１の参照信号を受信し、第１のＲＲＵは、測位対象ＲＲＵであり、第２のＲＲＵは、既知のロケーションにおけるＲＲＵであり、決定ユニット６０４は、第１の参照信号に基づいて第１の遅延値を決定し、第１の報告ユニット６０７は、第１の遅延値を上位レイヤネットワーク要素に報告し、それによって上位レイヤネットワーク要素は、第１の遅延値に基づいてロケーション解決処理を実行して、第１のＲＲＵのロケーション情報を入手する。本出願のこの実施形態は、ＲＲＵの外部および内部の測位デバイスを付加することなく既存のネットワーク要素デバイスを使用することによってＲＲＵを測位することが可能であり、それによってＲＲＵ測位コストを低減する。
【０１０１】
図７を参照すると、本出願の実施形態における第２のＲＲＵの実施形態が、
第１のＲＲＵによって送信された第２の参照信号を受信するように構成されている第１の受信ユニット７０１であって、第１のＲＲＵは、測位対象ＲＲＵであり、第２のＲＲＵは、既知のロケーションにおけるＲＲＵである、第１の受信ユニット７０１と、
第２の参照信号に基づいてシーケンス検知強度および第２の遅延値を計算するように構成されている第１の計算ユニット７０２と、
第１の参照信号を第１のＲＲＵへ送信するために、検知強度がしきい値よりも大きいセルを選択するように構成されている送信ユニット７０３であって、第１の参照信号は、第２の遅延値を搬送し、それによって第１のＲＲＵは、第１の参照信号に基づいて第１の遅延値を決定し、第１の遅延値を上位レイヤネットワーク要素に報告し、上位レイヤネットワーク要素は、第１の遅延値に基づいてロケーション解決処理を実行して、第１のＲＲＵのロケーション情報を入手する、送信ユニット７０３とを含む。
【０１０２】
本出願のこの実施形態においては、第１の受信ユニット７０１は、第１のＲＲＵによって送信された第２の参照信号を受信し、第１のＲＲＵは、測位対象ＲＲＵであり、第２のＲＲＵは、既知のロケーションにおけるＲＲＵであり、第１の計算ユニット７０２は、第２の参照信号に基づいてシーケンス検知強度および第２の遅延値を計算し、送信ユニット７０３は、第１の参照信号を第１のＲＲＵへ送信するために、検知強度がしきい値よりも大きいセルを選択し、第１の参照信号は、第２の遅延値を搬送し、それによって第１のＲＲＵは、第１の参照信号に基づいて第１の遅延値を決定し、第１の遅延値を上位レイヤネットワーク要素に報告し、上位レイヤネットワーク要素は、第１の遅延値に基づいてロケーション解決処理を実行して、第１のＲＲＵのロケーション情報を入手する。本出願のこの実施形態は、ＲＲＵの外部および内部の測位デバイスを付加することなく既存のネットワーク要素デバイスを使用することによってＲＲＵを測位することが可能であり、それによってＲＲＵ測位コストを低減する。
【０１０３】
図８を参照すると、本出願の実施形態における第２のＲＲＵの別の実施形態が、
検知命令を受信するように構成されている第２の受信ユニット８０１であって、検知命令は、第１のＲＲＵまたは上位レイヤネットワーク要素によって送信され、検知命令は、信号検知に備えるように第２のＲＲＵに指示するために使用される、第２の受信ユニット８０１と、
第１のＲＲＵによって送信された第２の参照信号を受信するように構成されている第１の受信ユニット８０２であって、第１のＲＲＵは、測位対象ＲＲＵであり、第２のＲＲＵは、既知のロケーションにおけるＲＲＵである、第１の受信ユニット８０２と、
第２の参照信号に基づいてシーケンス検知強度および第２の遅延値を計算するように構成されている第１の計算ユニット８０３と、
第２の参照信号に基づいて方位角を計算するように構成されている第２の計算ユニット８０４と、
第１の参照信号を第１のＲＲＵへ送信するために、検知強度がしきい値よりも大きいセルを選択するように構成されている送信ユニット８０５であって、第１の参照信号は、第２の遅延値を搬送し、それによって第１のＲＲＵは、第１の参照信号に基づいて第１の遅延値を決定し、第１の遅延値を上位レイヤネットワーク要素に報告し、上位レイヤネットワーク要素は、第１の遅延値に基づいてロケーション解決処理を実行して、第１のＲＲＵのロケーション情報を入手する、送信ユニット８０５とを含む。
【０１０４】
本出願のこの実施形態においては、第１の受信ユニット８０２は、第１のＲＲＵによって送信された第２の参照信号を受信し、第１のＲＲＵは、測位対象ＲＲＵであり、第２のＲＲＵは、既知のロケーションにおけるＲＲＵであり、第１の計算ユニット８０３は、第２の参照信号に基づいてシーケンス検知強度および第２の遅延値を計算し、送信ユニット８０５は、第１の参照信号を第１のＲＲＵへ送信するために、検知強度がしきい値よりも大きいセルを選択し、第１の参照信号は、第２の遅延値を搬送し、それによって第１のＲＲＵは、第１の参照信号に基づいて第１の遅延値を決定し、第１の遅延値を上位レイヤネットワーク要素に報告し、上位レイヤネットワーク要素は、第１の遅延値に基づいてロケーション解決処理を実行して、第１のＲＲＵのロケーション情報を入手する。本出願のこの実施形態は、ＲＲＵの外部および内部の測位デバイスを付加することなく既存のネットワーク要素デバイスを使用することによってＲＲＵを測位することが可能であり、それによってＲＲＵ測位コストを低減する。
【０１０５】
図９を参照すると、本出願の実施形態における上位レイヤネットワーク要素の実施形態が、
第１のＲＲＵによって送信された第１の遅延値を受信するように構成されている第１の受信ユニット９０１であって、第１のＲＲＵは、測位対象ＲＲＵである、第１の受信ユニット９０１と、
第１の遅延値に基づいてロケーション解決処理を実行して、第１のＲＲＵのロケーション情報を入手するように構成されている処理ユニット９０２とを含む。
【０１０６】
本出願のこの実施形態においては、第１の受信ユニット９０１は、第１のＲＲＵによって送信された第１の遅延値を受信し、第１のＲＲＵは、測位対象ＲＲＵであり、処理ユニット９０２は、第１の遅延値に基づいてロケーション解決処理を実行して、第１のＲＲＵのロケーション情報を入手する。本出願のこの実施形態は、ＲＲＵの外部および内部の測位デバイスを付加することなく既存のネットワーク要素デバイスを使用することによってＲＲＵを測位することが可能であり、それによってＲＲＵ測位コストを低減する。
【０１０７】
図１０を参照すると、本出願の実施形態における上位レイヤネットワーク要素の別の実施形態が、
フレームオフセット命令を第１のＲＲＵへ送信するように構成されている送信ユニット１００１であって、フレームオフセット命令は、第２のＲＲＵのダウンリンクウィンドウに対応するように第１のＲＲＵのアップリンクウィンドウに指示し、第２のＲＲＵは、既知のロケーションにおけるＲＲＵである、送信ユニット１００１と、
第１のＲＲＵによって送信された第１の遅延値を受信するように構成されている第１の受信ユニット１００２であって、第１のＲＲＵは、測位対象ＲＲＵである、第１の受信ユニット１００２と、
第１のＲＲＵによって送信された方位角を受信するように構成されている第２の受信ユニット１００３と、
第１の遅延値に基づいてロケーション解決処理を実行して、第１のＲＲＵのロケーション情報を入手するように構成されている処理ユニット１００４とを含む。
【０１０８】
処理ユニット１００４は、
第１の遅延値および方位角に基づいてロケーション解決処理を実行するように構成されている処理サブユニット１００４１を含む。
【０１０９】
本出願のこの実施形態においては、第１の受信ユニット１００２は、第１のＲＲＵによって送信された第１の遅延値を受信し、第１のＲＲＵは、測位対象ＲＲＵであり、処理ユニット１００４は、第１の遅延値に基づいてロケーション解決処理を実行して、第１のＲＲＵのロケーション情報を入手する。本出願のこの実施形態は、ＲＲＵの外部および内部の測位デバイスを付加することなく既存のネットワーク要素デバイスを使用することによってＲＲＵを測位することが可能であり、それによってＲＲＵ測位コストを低減する。
【０１１０】
図１１を参照すると、本出願の実施形態における第１のＲＲＵの別の実施形態が、下記を含む。
【０１１１】
図１１は、本発明の実施形態による第１のＲＲＵの概略構造図である。第１のＲＲＵ１１００は、さまざまな構成またはパフォーマンスに起因して比較的大きな差異を有し得、１つまたは複数の中央処理装置（ｃｅｎｔｒａｌ  ｐｒｏｃｅｓｓｉｎｇ  ｕｎｉｔｓ、ＣＰＵ）１１２２（たとえば、１つまたは複数のプロセッサ）、メモリ１１３２、アプリケーションプログラム１１４２またはデータ１１４４を格納している１つまたは複数のストレージメディア１１３０（たとえば、１つまたは複数のマスストレージデバイス）を含み得る。メモリ１１３２およびストレージメディア１１３０は、一時ストレージまたは永続ストレージであり得る。ストレージメディア１１３０に格納されるプログラムは、１つまたは複数のモジュール（図示せず）を含み得、それぞれのモジュールは、第１のＲＲＵに関する一連の命令オペレーションを含み得る。さらに、中央処理装置１１２２は、ストレージメディア１１３０と通信して、ストレージメディア１１３０内のそれらの一連の命令オペレーションを第１のＲＲＵ１１００上で実行するように構成され得る。
【０１１２】
第１のＲＲＵ１１００は、１つもしくは複数の電源１１２６、１つもしくは複数の有線もしくはワイヤレスネットワークインターフェース１１５０、１つもしくは複数の入力／出力インターフェース１１５８、ならびに／または、Ｗｉｎｄｏｗｓ  Ｓｅｒｖｅｒ（商標）、Ｍａｃ  ＯＳ  Ｘ（商標）、Ｕｎｉｘ（商標）、Ｌｉｎｕｘ（商標）、およびＦｒｅｅＢＳＤ（商標）などの１つもしくは複数のオペレーティングシステム１１４１をさらに含み得る。
【０１１３】
前述の実施形態において第１のＲＲＵによって実行されるステップは、図１１において示されている第１のＲＲＵの構造に基づき得る。
【０１１４】
図１２を参照すると、本出願の実施形態における第２のＲＲＵの別の実施形態が、下記を含む。
【０１１５】
図１２は、本発明の実施形態による第２のＲＲＵの概略構造図である。第２のＲＲＵ１２００は、さまざまな構成またはパフォーマンスに起因して比較的大きな差異を有し得、１つまたは複数の中央処理装置（ｃｅｎｔｒａｌ  ｐｒｏｃｅｓｓｉｎｇ  ｕｎｉｔｓ、ＣＰＵ）１２２２（たとえば、１つまたは複数のプロセッサ）、メモリ１２３２、アプリケーションプログラム１２４２またはデータ１２４４を格納している１つまたは複数のストレージメディア１２３０（たとえば、１つまたは複数のマスストレージデバイス）を含み得る。メモリ１２３２およびストレージメディア１２３０は、一時ストレージまたは永続ストレージであり得る。ストレージメディア１２３０に格納されるプログラムは、１つまたは複数のモジュール（図示せず）を含み得、それぞれのモジュールは、第２のＲＲＵに関する一連の命令オペレーションを含み得る。さらに、中央処理装置１２２２は、ストレージメディア１２３０と通信して、ストレージメディア１２３０内のそれらの一連の命令オペレーションを第２のＲＲＵ１２００上で実行するように構成され得る。
【０１１６】
第２のＲＲＵ１２００は、１つもしくは複数の電源１２２６、１つもしくは複数の有線もしくはワイヤレスネットワークインターフェース１２５０、１つもしくは複数の入力／出力インターフェース１２５８、ならびに／または、Ｗｉｎｄｏｗｓ  Ｓｅｒｖｅｒ（商標）、Ｍａｃ  ＯＳ  Ｘ（商標）、Ｕｎｉｘ（商標）、Ｌｉｎｕｘ（商標）、およびＦｒｅｅＢＳＤ（商標）などの１つもしくは複数のオペレーティングシステム１２４１をさらに含み得る。
【０１１７】
前述の実施形態において第２のＲＲＵによって実行されるステップは、図１２において示されている第２のＲＲＵの構造に基づき得る。
【０１１８】
図１３を参照すると、本出願の実施形態における上位レイヤネットワーク要素の別の実施形態が、下記を含む。
【０１１９】
図１３は、本発明の実施形態による上位レイヤネットワーク要素の概略構造図である。上位レイヤネットワーク要素１３００は、さまざまな構成またはパフォーマンスに起因して比較的大きな差異を有し得、１つまたは複数の中央処理装置（ｃｅｎｔｒａｌ  ｐｒｏｃｅｓｓｉｎｇ  ｕｎｉｔｓ、ＣＰＵ）１３２２（たとえば、１つまたは複数のプロセッサ）、メモリ１３３２、アプリケーションプログラム１３４２またはデータ１３４４を格納している１つまたは複数のストレージメディア１３３０（たとえば、１つまたは複数のマスストレージデバイス）を含み得る。メモリ１３３２およびストレージメディア１３３０は、一時ストレージまたは永続ストレージであり得る。ストレージメディア１３３０に格納されるプログラムは、１つまたは複数のモジュール（図示せず）を含み得、それぞれのモジュールは、上位レイヤネットワーク要素に関する一連の命令オペレーションを含み得る。さらに、中央処理装置１３２２は、ストレージメディア１３３０と通信して、ストレージメディア１３３０内のそれらの一連の命令オペレーションを上位レイヤネットワーク要素１３００上で実行するように構成され得る。
【０１２０】
上位レイヤネットワーク要素１３００は、１つもしくは複数の電源１３２６、１つもしくは複数の有線もしくはワイヤレスネットワークインターフェース１３５０、１つもしくは複数の入力／出力インターフェース１３５８、ならびに／または、Ｗｉｎｄｏｗｓ  Ｓｅｒｖｅｒ（商標）、Ｍａｃ  ＯＳ  Ｘ（商標）、Ｕｎｉｘ（商標）、Ｌｉｎｕｘ（商標）、およびＦｒｅｅＢＳＤ（商標）などの１つもしくは複数のオペレーティングシステム１３４１をさらに含み得る。
【０１２１】
前述の実施形態において上位レイヤネットワーク要素によって実行されるステップは、図１３において示されている上位レイヤネットワーク要素の構造に基づき得る。
【０１２２】
前述の実施形態のうちのすべてまたはいくつかは、ソフトウェア、ハードウェア、ファームウェア、またはそれらの任意の組合せを使用することによって実装され得る。実施形態を実装するためにソフトウェアが使用される場合には、実施形態は、完全にまたは部分的にコンピュータプログラム製品の形態で実装され得る。
【０１２３】
コンピュータプログラム製品は、１つまたは複数のコンピュータ命令を含む。コンピュータプログラム命令がコンピュータ上にロードされて実行されたときに、本発明の実施形態による手順または機能がすべてまたは部分的に生成される。コンピュータは、汎用コンピュータ、専用コンピュータ、コンピュータネットワーク、またはその他のプログラム可能な装置であり得る。コンピュータ命令は、コンピュータ可読ストレージメディアに格納され得、またはコンピュータ可読ストレージメディアから別のコンピュータ可読ストレージメディアへ伝送され得る。たとえば、コンピュータ命令は、ウェブサイト、コンピュータ、サーバ、またはデータセンターから、別のウェブサイト、コンピュータ、サーバ、またはデータセンターへ、有線（たとえば、同軸ケーブル、光ファイバ、もしくはデジタルサブスクライバーライン（ＤＳＬ））またはワイヤレス（たとえば、赤外線、無線、もしくはマイクロ波）の様式で伝送され得る。コンピュータ可読ストレージメディアは、１つまたは複数の使用可能メディアを統合している、コンピュータ、またはデータストレージデバイス、たとえば、サーバまたはデータセンターによってアクセス可能な任意の使用可能メディアであり得る。使用可能メディアは、磁気メディア（たとえば、フロッピーディスク、ハードディスク、または磁気テープ）、光メディア（たとえば、ＤＶＤ）、半導体メディア（たとえば、ソリッドステートドライブ、ソリッドステートディスク（Ｓｏｌｉｄ  Ｓｔａｔｅ  Ｄｉｓｋ、ＳＳＤ））などであり得る。
【０１２４】
便利で簡単な説明の目的のために、前述のシステム、装置、およびユニットの詳細な動作プロセスに関しては、前述の方法実施形態における対応するプロセスを参照するということが当業者によって明らかに理解され得、詳細がここで再び記述されることはない。
【０１２５】
本出願において提供されているいくつかの実施形態においては、開示されているシステム、装置、および方法は、その他の様式で実施され得るということを理解されたい。たとえば、記述されている装置実施形態は、例にすぎない。たとえば、ユニット区分は、論理的な機能区分にすぎず、実際の実施においてはその他の区分であってもよい。たとえば、複数のユニットもしくはコンポーネントが組み合わされてもしくは統合されて別のシステムになってもよく、またはいくつかの機能が無視されてもよく、もしくは実行されなくてもよい。加えて、表示されているまたは論じられている相互結合もしくは直接の結合または通信接続は、いくつかのインターフェースを使用することによって実施され得る。装置間またはユニット間における間接的な結合または通信接続は、電子的な形態、機械的な形態、またはその他の形態で実施され得る。
【０１２６】
別々の部分として記述されているユニットは、物理的に別々であってもよく、または物理的に別々でなくてもよく、ユニットとして表示されている部分は、物理的なユニットであってもよく、または物理的なユニットでなくてもよく、１つの位置に配置されてもよく、または複数のネットワークユニット上に分散されてもよい。ユニットのうちのいくつかまたはすべては、実施形態のソリューションの目的を達成するために実際の要件に基づいて選択され得る。
【０１２７】
加えて、本出願の実施形態における機能ユニットが統合されて１つの処理ユニットになってもよく、またはそれらのユニットのそれぞれが物理的に単独で存在してもよく、または２つ以上のユニットが統合されて１つのユニットになる。統合されたユニットは、ハードウェアの形態で実装されてもよく、ソフトウェア機能ユニットの形態で実装されてもよい。
【０１２８】
統合されたユニットが、ソフトウェア機能ユニットの形態で実装されて、独立した製品として販売または使用される場合には、統合されたユニットは、コンピュータ可読ストレージメディアに格納され得る。そのような理解に基づいて、本出願の技術的なソリューションは本質的に、または従来技術に寄与する部分は、またはこれらの技術的なソリューションのすべてもしくはいくつかは、ソフトウェア製品の形態で実装され得る。そのソフトウェア製品は、ストレージメディアに格納され、本出願の実施形態において記述されている方法のステップのうちのすべてまたはいくつかを実行するようにコンピュータデバイス（これは、パーソナルコンピュータ、サーバ、またはネットワークデバイスであり得る）に指示するためのいくつかの命令を含む。前述のストレージメディアは、ＵＳＢフラッシュドライブ、取り外し可能なハードディスク、読み取り専用メモリ（ｒｅａｄ−ｏｎｌｙ  ｍｅｍｏｒｙ、ＲＯＭ）、ランダムアクセスメモリ（ｒａｎｄｏｍ  ａｃｃｅｓｓ  ｍｅｍｏｒｙ、ＲＡＭ）、磁気ディスク、または光ディスクなど、プログラムコードを格納することが可能である任意のメディアを含む。
【０１２９】
前述の実施形態は、本出願の技術的なソリューションについて記述することを意図されているにすぎず、本出願を限定することを意図されているものではない。前述の実施形態を参照しながら本出願が詳細に記述されているが、当業者なら、それでもなお、本出願の実施形態の技術的なソリューションの趣旨および範囲から逸脱することなく、前述の実施形態において記述されている技術的なソリューションに対する修正形態を作成し得る、またはそれらのいくつかの技術的な特徴に対する均等な代替形態を作成し得るということを理解するはずである。
【手続補正３】
【補正対象書類名】図面
【補正対象項目名】図１３
【補正方法】変更
【補正の内容】
【図１３】
2021502761.tif 000018
【国際調査報告】
2021502761.tif 000019
2021502761.tif 000020
2021502761.tif 000021
2021502761.tif 000022